(57)【特許請求の範囲】
【請求項１】
ワイヤレス通信の方法であって、
ユーザ機器（ＵＥ）が、無線フレーム内のサブフレームの開始より前にチャネル占有信号を受信することと、
前記チャネル占有信号の受信に少なくとも基づいて、前記サブフレームが競合ベースのアクセス手順および無認可無線周波数スペクトル帯域へのアクセスのための要求メッセージの送信の候補であると決定することと、
前記無認可無線周波数スペクトル帯域へのアクセスを獲得するための前記競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別することと、ここにおいて、シンボルの前記第１のサブセットが、前記チャネル占有信号と前記無線フレーム内の前記サブフレームの第１のサブフレーム境界とを検出するためのハードウェア遅延またはソフトウェア遅延に少なくとも基づいて識別される、
シンボルの前記第１のサブセット中に前記競合ベースのアクセス手順を実行することと、
前記競合ベースのアクセス手順の結果に少なくとも基づいてシンボルの前記第２のサブセット中に前記要求メッセージを送信することと
を備える、方法。
【請求項２】
前記要求メッセージを送信することが、
前記無認可無線周波数スペクトル帯域で動作するセルにアクセスするために、前記無認可無線周波数スペクトル帯域を介して拡張物理ランダムアクセスチャネル（ｅＰＲＡＣＨ）上で前記要求メッセージを送信することを備える、請求項１に記載の方法。
【請求項３】
シンボルの前記第２のサブセットが、シンボルの前記第１のサブセット、前記チャネル占有信号の送信のための前記サブフレーム内の識別されたシンボル、または送信受信間切替え遅延に少なくとも基づいて識別される、請求項１に記載の方法。
【請求項４】
前記要求メッセージが、第１のシンボルと第２のシンボルとを備え、前記第１のシンボルが、復調基準信号（ＤＭＲＳ）を備え、前記第２のシンボルが、前記要求メッセージに関連するデータを備える、請求項１に記載の方法。
【請求項５】
前記要求メッセージが、前記第１のシンボルのためのＤＭＲＳシフトと前記第２のシンボルのためのデータインターレースとを通して１つまたは複数の他のノードと多重化される、請求項４に記載の方法。
【請求項６】
前記要求メッセージの前記送信が、前記サブフレームの第２のサブフレーム境界と整合しておらず、シンボル境界と整合している、請求項１に記載の方法。
【請求項７】
システム情報ブロック（ＳＩＢ）中で、前記サブフレーム、シンボルの前記第１のサブセット、またはシンボルの前記第２のサブセットのうちの少なくとも１つの指示を受信することをさらに備える、請求項１に記載の方法。
【請求項８】
前記要求メッセージの送信のための利用可能なリソースを決定することと、
前記利用可能なリソースの優先度付けに少なくとも基づいて前記要求メッセージの送信のための前記利用可能なリソースのうちのリソースを選択することと
をさらに備える、請求項１に記載の方法。
【請求項９】
前記要求メッセージの送信のための利用可能なリソースの前記優先度付けが、システム情報ブロック（ＳＩＢ）中で受信されたリソースの優先度付けまたは利用可能なリソースのバイアス付きランダム選択に少なくとも基づく、請求項８に記載の方法。
【請求項１０】
前記要求メッセージが、スケジュールされていない要求メッセージである、請求項９に記載の方法。
【請求項１１】
ワイヤレスデバイスにおけるワイヤレス通信のための装置であって、
プロセッサと、
前記プロセッサに結合されたメモリと
を備え、前記プロセッサが、
ユーザ機器（ＵＥ）が、無線フレーム内のサブフレームの開始より前にチャネル占有信号を受信することと、
前記チャネル占有信号の受信に少なくとも基づいて、前記サブフレームが競合ベースのアクセス手順および無認可無線周波数スペクトル帯域へのアクセスのための要求メッセージの送信の候補であると決定することと、
前記無認可無線周波数スペクトル帯域へのアクセスを獲得するための前記競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別することと、ここにおいて、シンボルの前記第１のサブセットが、前記チャネル占有信号と前記無線フレーム内の前記サブフレームの第１のサブフレーム境界とを検出するためのハードウェア遅延またはソフトウェア遅延に少なくとも基づいて識別される、
シンボルの前記第１のサブセット中に前記競合ベースのアクセス手順を実行することと、
前記競合ベースのアクセス手順の結果に少なくとも基づいてシンボルの前記第２のサブセット中に前記要求メッセージを送信することと
を行うように構成される、装置。
【請求項１２】
前記プロセッサが、
前記無認可無線周波数スペクトル帯域で動作するセルにアクセスするために、前記無認可無線周波数スペクトル帯域を介して拡張物理ランダムアクセスチャネル（ｅＰＲＡＣＨ）上で前記要求メッセージを送信するようにさらに構成される、請求項１１に記載の装置。
【請求項１３】
シンボルの前記第２のサブセットが、シンボルの前記第１のサブセット、前記チャネル占有信号の送信のための前記サブフレーム内の識別されたシンボル、または送信受信間切替え遅延に少なくとも基づいて識別される、請求項１１に記載の装置。
【請求項１４】
前記要求メッセージが、第１のシンボルと第２のシンボルとを備え、前記第１のシンボルが、復調基準信号（ＤＭＲＳ）を備え、前記第２のシンボルが、前記要求メッセージに関連するデータを備える、請求項１１に記載の装置。
【請求項１５】
前記要求メッセージが、前記第１のシンボルのためのＤＭＲＳシフトと前記第２のシンボルのためのデータインターレースとを通して１つまたは複数の他のノードと多重化される、請求項１４に記載の装置。
【請求項１６】
前記要求メッセージの前記送信が、前記サブフレームの第２のサブフレーム境界と整合しておらず、シンボル境界と整合している、請求項１１に記載の装置。
【請求項１７】
前記プロセッサが、
システム情報ブロック（ＳＩＢ）中で、前記サブフレーム、シンボルの前記第１のサブセット、またはシンボルの前記第２のサブセットのうちの少なくとも１つの指示を受信するようにさらに構成される、請求項１１に記載の装置。
【請求項１８】
前記プロセッサが、
前記要求メッセージの送信のための利用可能なリソースを決定することと、
前記利用可能なリソースの優先度付けに少なくとも基づいて前記要求メッセージの送信のための前記利用可能なリソースのうちのリソースを選択することと
を行うようにさらに構成される、請求項１１に記載の装置。
【請求項１９】
前記要求メッセージの送信のための利用可能なリソースの前記優先度付けが、システム情報ブロック（ＳＩＢ）中で受信されたリソースの優先度付けまたは利用可能なリソースのバイアス付きランダム選択に少なくとも基づく、請求項１８に記載の装置。
【請求項２０】
前記要求メッセージが、スケジュールされていない要求メッセージである、請求項１９に記載の装置。
【発明の詳細な説明】
【技術分野】
【０００１】
相互参照
[0001]本特許出願は、各々が本出願の譲受人に譲渡された、２０１６年２月１６日に出願された、「Ｔｅｃｈｎｉｑｕｅｓ  ｆｏｒ  Ｃｅｌｌ  Ａｃｃｅｓｓ  Ｕｓｉｎｇ  Ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｂｅｅｒらによる米国特許出願第１５／０４４，７１７号、および２０１５年２月１８日に出願された、「Ｔｅｃｈｎｉｑｕｅｓ  ｆｏｒ  Ｃｅｌｌ  Ａｃｃｅｓｓ  Ｕｓｉｎｇ  Ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｄａｂｅｅｒらによる米国仮特許出願第６２／１１７，５５４号の優先権を主張する。
【０００２】
[0002]本開示は、たとえば、ワイヤレス通信システムに関し、より詳細には、無認可無線周波数スペクトル帯域を使用してセルにアクセスするための技法に関する。
【背景技術】
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、および電力）を共有することによって、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、無認可無線周波数スペクトル帯域を介した、またはセルラーネットワークの異なる無線周波数スペクトル帯域（たとえば、認可無線周波数スペクトル帯域または無認可無線周波数スペクトル帯域）を介したＵＥとの通信を可能にし得る。認可無線周波数スペクトル帯域を使用するセルラーネットワークにおけるデータトラフィックの増加とともに、無認可無線周波数スペクトル帯域への少なくとも一部のデータトラフィックのオフロードは、セルラー事業者にデータ送信容量の増強のための機会を与え得る。無認可無線周波数スペクトル帯域はまた、認可無線周波数スペクトル帯域へのアクセスを有しないことがあるスタジアムまたはホテルなどのベニューにワイヤレスアクセスを与えることができる。
【０００６】
[0006]無認可無線周波数スペクトル帯域へのアクセスを獲得し、無認可無線周波数スペクトル帯域を介して通信する前に、基地局またはＵＥは、無認可無線周波数スペクトル帯域へのアクセスを求めて競合するために、リッスンビフォアトーク（ＬＢＴ：listen before talk）手順を実行し得る。ＬＢＴ手順は、無認可無線周波数スペクトル帯域のチャネルが利用可能であるかどうかを決定するためにクリアチャネルアセスメント（ＣＣＡ）手順を実行することを含み得る。無認可無線周波数スペクトル帯域のチャネルが利用不可能であると決定されたとき、チャネルのためにＣＣＡ手順が後で再び実行され得る。
【０００７】
[0007]いくつかの条件下で（たとえば、認可無線周波数スペクトル帯域で動作するセルが利用可能でないとき）、ＵＥは、ＵＥの１次セルとして無認可無線周波数スペクトル帯域で動作するセルにアクセスし得る。無認可無線周波数スペクトル帯域で動作するセルにアクセスする１つの方法は、ロングタームエボリューション（ＬＴＥ（登録商標））通信またはＬＴＥアドバンスト（ＬＴＥ−Ａ）通信のために使用されるのと同様にランダムアクセス手順および無線リソース制御（ＲＲＣ：Radio Resource Control）接続セットアップ手順を使用することである。しかしながら、無認可無線周波数スペクトル帯域を使用して動作するとき、そのようなランダムアクセス手順は、無認可無線周波数スペクトル帯域へのアクセスを求める競合に勝つために基地局とＵＥの両方による１つまたは複数のＣＣＡ手順の実行を必要とし得る。無認可無線周波数スペクトル帯域へのアクセスを求める競合が不確実であるために、チャネルアクセスを求める競合が少なくて済むアクセス手順が望ましいことがある。
【発明の概要】
【０００８】
[0008]本開示は、たとえば、アクセス手順を完了するために必要なチャネル競合の数を低減し得る無認可無線周波数スペクトル帯域を使用してセルにアクセスするための１つまたは複数の技法に関する。いくつかの例では、ユーザ機器（ＵＥ）は、競合ベースのチャネルアクセス手順中に基地局がチャネルアクセスに勝つことがない場合にランダムアクセス要求を送信し得る。基地局は、アクセス要求を処理し、以降の競合ベースのチャネルアクセス手順中にチャネルアクセスに勝った後に応答メッセージを送信する。ＵＥは、リッスンビフォアトーク（ＬＢＴ）無線フレームの１つまたは複数の識別されたサブフレームにおいて、また識別されたサブフレームの１つまたは複数の識別されたシンボル内でアクセス要求を送信し得る。チャネルアクセスに勝たなかった基地局は、識別されたＬＢＴ無線フレームの識別されたサブフレームを監視し得、したがって、無線リソース制御（ＲＲＣ）接続セットアップ手順がより効率的になり得る。
【０００９】
[0009]いくつかの例では、ＵＥは、無認可無線周波数スペクトル帯域へのアクセスを獲得するためのクリアチャネルアセスメント（ＣＣＡ）手順などの競合ベースのアクセス手順を実行するための識別されたＬＢＴ無線フレームのサブフレーム内のシンボルのサブセットを識別し得る。シンボルのサブセットは、たとえば、前のサブフレーム中で送信され得るチャネル使用ビーコン信号（ＣＵＢＳ：channel usage beacon signal）の検出のためのハードウェア遅延またはソフトウェア遅延に少なくとも部分的に基づいて識別され得る。ＵＥは、競合ベースのチャネルアクセス手順を実行し得、チャネルアクセスに勝ち、ＣＵＢＳが検出されない場合、ＵＥは、要求メッセージのための識別されたシンボルを使用して要求メッセージを送信し得る。
【００１０】
[0010]いくつかの例では、基地局は、その後ＵＥからのアクセス要求について監視され得る拡張物理アップリンク制御チャネル（ｅＰＵＣＣＨ）の１つまたは複数の指定されたサブフレームを使用してランダムアクセスリソースを構成し得る。他の例では、基地局は、ＬＢＴ無線フレームを開始するために拡張物理フレームフォーマットインジケータチャネル（ｅＰＦＦＩＣＨ：enhanced physical frame format indicator channel）送信を周期的に送信しようと試み得、ＵＥは、ＬＢＴ無線フレームのために識別されたリソースを使用してアクセス要求を送信し得る。
【００１１】
[0011]ワイヤレスデバイスにおけるワイヤレス通信の方法について説明される。本方法は、無認可無線周波数スペクトル帯域へのアクセスのための要求メッセージの送信のために利用可能な無線フレーム内のサブフレームを決定することと、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別することと、シンボルの第１のサブセット中に競合ベースのアクセス手順を実行することと、競合ベースのアクセス手順の結果に基づいてシンボルの第２のサブセット中に要求メッセージを送信することとを含み得る。
【００１２】
[0012]ワイヤレスデバイスにおけるワイヤレス通信のための装置について説明される。本装置は、無認可無線周波数スペクトル帯域へのアクセスのための要求メッセージの送信のために利用可能な無線フレーム内のサブフレームを決定するための手段と、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別するための手段と、シンボルの第１のサブセット中に競合ベースのアクセス手順を実行するための手段と、競合ベースのアクセス手順の結果に基づいてシンボルの第２のサブセット中に要求メッセージを送信するための手段とを含み得る。
【００１３】
[0013]ワイヤレスデバイスにおけるワイヤレス通信のためのさらなる装置について説明される。本装置は、プロセッサと、プロセッサに結合されたメモリとを含み得、ここにおいて、プロセッサは、無認可無線周波数スペクトル帯域へのアクセスのための要求メッセージの送信のために利用可能な無線フレーム内のサブフレームを決定することと、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別することと、シンボルの第１のサブセット中に競合ベースのアクセス手順を実行することと、競合ベースのアクセス手順の結果に基づいてシンボルの第２のサブセット中に要求メッセージを送信することとを行うように構成される。
【００１４】
[0014]プロセッサによって実行可能な命令を記憶するための非一時的コンピュータ可読媒体について説明される。本コンピュータ可読媒体は、無認可無線周波数スペクトル帯域へのアクセスのための要求メッセージの送信のために利用可能な無線フレーム内のサブフレームを決定することと、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別することと、シンボルの第１のサブセット中に競合ベースのアクセス手順を実行することと、競合ベースのアクセス手順の結果に基づいてシンボルの第２のサブセット中に要求メッセージを送信することとを行うための命令を含み得る。
【００１５】
[0015]上記で説明した方法、装置、または非一時的コンピュータ可読媒体のいくつかの例は、無認可無線周波数スペクトル帯域で動作するセルにアクセスするために、無認可無線周波数スペクトル帯域を介して拡張物理ランダムアクセスチャネル（ｅＰＲＡＣＨ）上で要求メッセージを送信することをさらに含み得る。追加または代替として、いくつかの例では、シンボルの第１のサブセットは、別のノードからのチャネル占有信号と無線フレーム内のサブフレームのサブフレーム境界とを検出するためのハードウェア遅延またはソフトウェア遅延に少なくとも部分的に基づいて識別される。
【００１６】
[0016]上記で説明した方法、装置、または非一時的コンピュータ可読媒体のいくつかの例では、シンボルの第２のサブセットは、シンボルの第１のサブセット、別のノードからのチャネル占有信号の送信のためのサブフレーム内の識別されたシンボル、または送信受信間切替え遅延に少なくとも部分的に基づいて識別される。追加または代替として、いくつかの例では、要求メッセージは、第１のシンボルと第２のシンボルとを備え、第１のシンボルは、復調基準信号（ＤＭＲＳ）を含み、第２のシンボルは、要求メッセージに関連するデータを備える。
【００１７】
[0017]上記で説明した方法、装置、または非一時的コンピュータ可読媒体のいくつかの例では、要求メッセージは、１つまたは複数の他のノードと多重化される。追加または代替として、いくつかの例では、要求メッセージは、第１のシンボルのためのＤＭＲＳシフトと第２のシンボルのためのデータインターレースとを通して多重化される。
【００１８】
[0018]上記で説明した方法、装置、または非一時的コンピュータ可読媒体のいくつかの例では、要求メッセージの送信は、サブフレームのサブフレーム境界と整合しておらず、シンボル境界と整合している。追加または代替として、いくつかの例では、チャネル占有信号は、要求メッセージを送信する前に送信されない。
【００１９】
[0019]上記で説明した方法、装置、または非一時的コンピュータ可読媒体のいくつかの例は、システム情報ブロック中で、サブフレーム、シンボルの第１のサブセット、またはシンボルの第２のサブセットのうちの少なくとも１つの指示を受信することをさらに含み得る。追加または代替として、いくつかの例では、要求メッセージの送信のために利用可能な無線フレーム内のサブフレームを決定することは、無認可無線周波数スペクトル帯域がサブフレーム中に別のノードによって占有されないと決定することを備える。
【００２０】
[0020]上記で説明した方法、装置、または非一時的コンピュータ可読媒体のいくつかの例は、シンボルの第１のサブセット中に競合ベースのアクセス手順を実行しながら、別のノードが無認可無線周波数スペクトル帯域の占有を示したかどうかを決定することと、競合ベースのアクセス手順の結果と別のノードが無認可無線周波数スペクトル帯域の占有を示したのかどうかの決定とに基づいてシンボルの第２のサブセット中に要求メッセージを送信することとをさらに含み得る。追加または代替として、いくつかの例としては、１つまたは複数の他のリソースが要求メッセージの送信のために利用可能であると決定することと、利用可能なリソースの優先度付けに少なくとも部分的に基づいて要求メッセージの送信のための利用可能なリソースのうちの１つを選択することとがあり得る。
【００２１】
[0021]上記で説明した方法、装置、または非一時的コンピュータ可読媒体のいくつかの例では、要求メッセージの送信のための利用可能なリソースの優先度付けは、要求メッセージの送信のための次に利用可能なリソースに少なくとも部分的に基づく。追加または代替として、いくつかの例では、要求メッセージの送信のための利用可能なリソースの優先度付けは、システム情報ブロック中で受信されたリソースの優先度付けに基づく。
【００２２】
[0022]上記で説明した方法、装置、または非一時的コンピュータ可読媒体のいくつかの例では、要求メッセージの送信のための利用可能なリソースの優先度付けは、利用可能なリソースのバイアス付きランダム選択に基づく。追加または代替として、いくつかの例では、要求メッセージの送信のために利用可能である１つまたは複数の他のリソースは、専用ｅＰＲＡＣＨリソースまたはＣＣＡ免除送信を備える。上記で説明した方法、装置、または非一時的コンピュータ可読媒体のいくつかの例では、要求メッセージは、スケジュールされていない要求メッセージである。
【００２３】
[0023]ワイヤレスデバイスにおけるワイヤレス通信の方法について説明される。本方法は、ＵＥによる無認可無線周波数スペクトル帯域へのアクセスのための要求メッセージの受信のための１つまたは複数の無線フレーム内の１つまたは複数のサブフレームを識別することと、無認可無線周波数スペクトル帯域へのアクセスのための要求メッセージの受信のための識別された１つまたは複数のサブフレーム内のシンボルのサブセットを識別することとを含み得る。
【００２４】
[0024]ワイヤレスデバイスにおけるワイヤレス通信のための装置について説明される。本装置は、ＵＥによる無認可無線周波数スペクトル帯域へのアクセスのための要求メッセージの受信のための１つまたは複数の無線フレーム内の１つまたは複数のサブフレームを識別するための手段と、無認可無線周波数スペクトル帯域へのアクセスのための要求メッセージの受信のための識別された１つまたは複数のサブフレーム内のシンボルのサブセットを識別するための手段とを含み得る。
【００２５】
[0025]ワイヤレスデバイスにおけるワイヤレス通信のためのさらなる装置について説明される。本装置は、プロセッサと、プロセッサに結合されたメモリとを含み得、ここにおいて、プロセッサは、ＵＥによる無認可無線周波数スペクトル帯域へのアクセスのための要求メッセージの受信のための１つまたは複数の無線フレーム内の１つまたは複数のサブフレームを識別することと、無認可無線周波数スペクトル帯域へのアクセスのための要求メッセージの受信のための識別された１つまたは複数のサブフレーム内のシンボルのサブセットを識別することとを行うように構成される。
【００２６】
[0026]プロセッサによって実行可能な命令を記憶するための非一時的コンピュータ可読媒体について説明される。本コンピュータ可読媒体は、ＵＥによる無認可無線周波数スペクトル帯域へのアクセスのための要求メッセージの受信のための１つまたは複数の無線フレーム内の１つまたは複数のサブフレームを識別することと、無認可無線周波数スペクトル帯域へのアクセスのための要求メッセージの受信のための識別された１つまたは複数のサブフレーム内のシンボルのサブセットを識別することとを行うための命令を含み得る。
【００２７】
[0027]上記で説明した方法、装置、または非一時的コンピュータ可読媒体のいくつかの例は、識別された１つまたは複数のサブフレームとシンボルのサブセットとの指示をＵＥに送信することをさらに含み得る。追加または代替として、いくつかの例では、指示は、システム情報ブロック（ＳＩＢ）中で送信される。
【００２８】
[0028]上記で説明した方法、装置、または非一時的コンピュータ可読媒体のいくつかの例では、指示は、要求メッセージ送信のために利用可能な１つまたは複数の他のリソースのさらなる識別情報と、利用可能なリソースの優先度付けとをさらに備える。追加または代替として、いくつかの例では、利用可能なリソースの優先度付けは、要求メッセージの送信のための利用可能なリソースのうちの１つまたは複数に対する要求メッセージの負荷を制御するパラメータを備える。
【００２９】
[0029]上記で説明した方法、装置、または非一時的コンピュータ可読媒体のいくつかの例は、無認可無線周波数スペクトル帯域にアクセスするためのＵＥからの要求メッセージについてシンボルのサブセットを監視することをさらに含み得る。追加または代替として、いくつかの例では、シンボルのサブセットは、別のノードからのチャネル占有信号の送信のための時間または送信受信間切替え遅延に少なくとも部分的に基づいて識別される。
【００３０】
[0030]上記で説明した方法、装置、または非一時的コンピュータ可読媒体のいくつかの例では、要求メッセージは、第１のシンボルと第２のシンボルとを備え、第１のシンボルは、ＤＭＲＳを含み、第２のシンボルは、要求メッセージに関連するデータを備える。
【００３１】
[0031]ワイヤレスデバイスにおけるワイヤレス通信の方法について説明される。本方法は、ＵＥから基地局への無認可無線周波数スペクトル帯域へのアクセスのための要求メッセージの送信のために利用可能である周期的なサブフレームを識別することと、ＵＥによって、識別された周期的なサブフレームの第１のサブフレーム中に競合ベースのアクセス手順を実行することと、競合ベースのアクセス手順は、基地局が無認可無線周波数スペクトル帯域へのアクセスを有するかどうかにかかわらず実行される、競合ベースのアクセス手順の結果に基づいて第１のサブフレーム中に要求メッセージを送信することとを含み得る。
【００３２】
[0032]ワイヤレスデバイスにおけるワイヤレス通信のための装置について説明される。本装置は、ＵＥから基地局への無認可無線周波数スペクトル帯域へのアクセスのための要求メッセージの送信のために利用可能である周期的なサブフレームを識別するための手段と、ＵＥによって、識別された周期的なサブフレームの第１のサブフレーム中に競合ベースのアクセス手順を実行するための手段と、競合ベースのアクセス手順は、基地局が無認可無線周波数スペクトル帯域へのアクセスを有するかどうかにかかわらず実行される、競合ベースのアクセス手順の結果に基づいて第１のサブフレーム中に要求メッセージを送信するための手段とを含み得る。
【００３３】
[0033]ワイヤレスデバイスにおけるワイヤレス通信のためのさらなる装置について説明される。本装置は、プロセッサと、プロセッサに結合されたメモリとを含み得、ここにおいて、プロセッサは、ＵＥから基地局への無認可無線周波数スペクトル帯域へのアクセスのための要求メッセージの送信のために利用可能である周期的なサブフレームを識別することと、ＵＥによって、識別された周期的なサブフレームの第１のサブフレーム中に競合ベースのアクセス手順を実行することと、競合ベースのアクセス手順は、基地局が無認可無線周波数スペクトル帯域へのアクセスを有するかどうかにかかわらず実行される、競合ベースのアクセス手順の結果に基づいて第１のサブフレーム中に要求メッセージを送信することとを行うように構成される。
【００３４】
[0034]プロセッサによって実行可能な命令を記憶するための非一時的コンピュータ可読媒体について説明される。本コンピュータ可読媒体は、ＵＥから基地局への無認可無線周波数スペクトル帯域へのアクセスのための要求メッセージの送信のために利用可能である周期的なサブフレームを識別することと、ＵＥによって、識別された周期的なサブフレームの第１のサブフレーム中に競合ベースのアクセス手順を実行することと、競合ベースのアクセス手順は、基地局が無認可無線周波数スペクトル帯域へのアクセスを有するかどうかにかかわらず実行される、競合ベースのアクセス手順の結果に基づいて第１のサブフレーム中に要求メッセージを送信することとを行うための命令を含み得る。
【００３５】
[0035]上記で説明した方法、装置、または非一時的コンピュータ可読媒体のいくつかの例では、周期的なサブフレームを識別することは、システム情報ブロック中で、要求メッセージの送信のために利用可能である周期的なサブフレームの指示を受信することを備える。追加または代替として、いくつかの例では、周期的なサブフレームを識別することは、識別された周期的なサブフレームのうちの１つまたは複数の間に無認可無線周波数スペクトル帯域が別のノードによって占有されないと決定することをさらに備える。
【００３６】
[0036]上記で説明した方法、装置、または非一時的コンピュータ可読媒体のいくつかの例、競合ベースのアクセス手順の実行のための１または複数の回数は、識別された周期的なサブフレームに少なくとも部分的に基づいて決定され得る。
【００３７】
[0037]ワイヤレスデバイスにおけるワイヤレス通信の方法について説明される。本方法は、ＬＢＴフレームのための境界を識別する基地局からＵＥにおいて１つまたは複数の送信を受信することと、ＬＢＴフレーム内のｅＰＲＡＣＨリソースを決定することと、ＵＥによって、ＬＢＴフレーム中に競合ベースのアクセス手順を実行することと、競合ベースのアクセス手順の結果に基づいてＵＥから基地局に無認可無線周波数スペクトル帯域へのアクセスのための要求メッセージを送信することとを含み得る。
【００３８】
[0038]ワイヤレスデバイスにおけるワイヤレス通信のための装置について説明する。本装置は、ＬＢＴフレームのための境界を識別する基地局からＵＥにおいて１つまたは複数の送信を受信するための手段と、ＬＢＴフレーム内のｅＰＲＡＣＨリソースを決定するための手段と、ＵＥによって、ＬＢＴフレーム中に競合ベースのアクセス手順を実行するための手段と、競合ベースのアクセス手順の結果に基づいてＵＥから基地局に無認可無線周波数スペクトル帯域へのアクセスのための要求メッセージを送信するための手段とを含み得る。
【００３９】
[0039]ワイヤレスデバイスにおけるワイヤレス通信のためのさらなる装置について説明される。本装置は、プロセッサと、プロセッサに結合されたメモリとを含み得、ここにおいて、プロセッサは、ＬＢＴフレームのための境界を識別する基地局からＵＥにおいて１つまたは複数の送信を受信することと、ＬＢＴフレーム内のｅＰＲＡＣＨリソースを決定することと、ＵＥによって、ＬＢＴフレーム中に競合ベースのアクセス手順を実行することと、競合ベースのアクセス手順の結果に基づいてＵＥから基地局に無認可無線周波数スペクトル帯域へのアクセスのための要求メッセージを送信することとを行うように構成される。
【００４０】
[0040]プロセッサによって実行可能な命令を記憶するための非一時的コンピュータ可読媒体について説明される。本コンピュータ可読媒体は、ＬＢＴフレームのための境界を識別する基地局からＵＥにおいて１つまたは複数の送信を受信することと、ＬＢＴトークフレーム内のｅＰＲＡＣＨリソースを決定することと、ＵＥによって、ＬＢＴフレーム中に競合ベースのアクセス手順を実行することと、競合ベースのアクセス手順の結果に基づいてＵＥから基地局に無認可無線周波数スペクトル帯域へのアクセスのための要求メッセージを送信することとを行うための命令を含み得る。
【００４１】
[0041]上記で説明した方法、装置、または非一時的コンピュータ可読媒体のいくつかの例では、１つまたは複数の送信は、１つまたは複数の拡張システム情報ブロック（ｅＳＩＢ）送信を備える。追加または代替として、いくつかの例では、ｅＰＲＡＣＨリソースは、ｅＳＩＢトランスミッション中に構成される。
【００４２】
[0042]上記では、以下の発明を実施するための形態がよりよく理解され得るように、本開示による例の特徴および技術的利点をかなり広く概説した。以下で、追加の特徴および利点について説明する。開示される概念および具体例は、本開示の同じ目的を遂行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明のみの目的で提供され、特許請求の範囲を定めるものではない。
【００４３】
[0043]本発明の性質と利点とについてのさらなる理解は、以下の図面を参照することによって達成され得る。添付の図において、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００４４】
【図１】[0044]本開示の様々な態様による、ワイヤレス通信システムの一例を示す図。
【図２】[0045]本開示の様々な態様による、無認可無線周波数スペクトル帯域を使用する様々な状況の下でロングタームエボリューション（ＬＴＥ）またはＬＴＥアドバンスト（ＬＴＥ−Ａ）が展開され得るワイヤレス通信システムを示す図。
【図３】[0046]本開示の様々な態様による、無認可無線周波数スペクトル帯域を介したワイヤレス通信の一例を示す図。
【図４】[0047]本開示の様々な態様による、ランダムアクセスチャネル通信中のユーザ機器（ＵＥ）と基地局との間のメッセージフローを示す図。
【図５】[0048]本開示の様々な態様による、ランダムアクセスチャネル通信中のＵＥと基地局との間の別のメッセージフローを示す図。
【図６】[0049]本開示の様々な態様による、ランダムアクセスチャネル通信中のＵＥと基地局との間の別のメッセージフローを示す図。
【図７】[0050]本開示の様々な態様による、短縮物理ランダムアクセスチャネル手順を使用した無認可無線周波数スペクトル帯域を介したワイヤレス通信の一例を示す図。
【図８】[0051]本開示の様々な態様による、ワイヤレス通信において使用するための装置のブロック図。
【図９】[0052]本開示の様々な態様による、ワイヤレス通信において使用するための装置のブロック図。
【図１０】[0053]本開示の様々な態様による、ワイヤレス通信において使用するための装置のブロック図。
【図１１】[0054]本開示の様々な態様による、ワイヤレス通信において使用するための装置のブロック図。
【図１２】[0055]本開示の様々な態様による、ワイヤレス通信において使用するためのＵＥのブロック図。
【図１３】[0056]本開示の様々な態様による、ワイヤレス通信において使用するための基地局（たとえば、発展型ノードＢ（ｅＮＢ）の一部または全部を形成する基地局）のブロック図。
【図１４】[0057]本開示の様々な態様による、基地局とＵＥとを含む多入力多出力（ＭＩＭＯ）通信システムのブロック図。
【図１５】[0058]本開示の様々な態様による、ワイヤレス通信のための例示的な方法を示すフローチャート。
【図１６】[0059]本開示の様々な態様による、ワイヤレス通信のための例示的な方法を示すフローチャート。
【図１７】[0060]本開示の様々な態様による、ワイヤレス通信のための例示的な方法を示すフローチャート。
【図１８】[0061]本開示の様々な態様による、ワイヤレス通信のための例示的な方法を示すフローチャート。
【図１９】[0062]本開示の様々な態様による、ワイヤレス通信のための例示的なオブア方法を示すフローチャート。
【図２０】[0063]本開示の様々な態様による、ワイヤレス通信のための例示的な方法を示すフローチャート。
【発明を実施するための形態】
【００４５】
[0064]ワイヤレス通信システムを介した通信の少なくとも一部分のために無認可無線周波数スペクトル帯域が使用される技法について説明する。いくつかの例では、無認可無線周波数スペクトル帯域は、ロングタームエボリューション（ＬＴＥ）またはＬＴＥアドバンスト（ＬＴＥ−Ａ）通信のために使用され得る。無認可無線周波数スペクトル帯域は、認可無線周波数スペクトル帯域と組み合わせて、または認可無線周波数スペクトル帯域から独立して使用され得る。いくつかの例では、無認可無線周波数スペクトル帯域は、Ｗｉ−Ｆｉ（登録商標）用途などの無認可の用途に少なくとも部分的に利用可能であるのでデバイスがアクセスを求めて競合する必要があり得る無線周波数スペクトル帯域であり得る。
【００４６】
[0065]認可無線周波数スペクトル帯域を使用するセルラーネットワークにおけるデータトラフィックの増加とともに、無認可無線周波数スペクトル帯域への少なくとも一部のデータトラフィックのオフロードは、セルラー事業者（たとえば、公衆陸上移動体ネットワーク（ＰＬＭＮ）またはＬＴＥ／ＬＴＥ−Ａネットワークなどのセルラーネットワークを定義する基地局の協調させられたセットの事業者）にデータ送信容量の増強のための機会を与え得る。無認可無線周波数スペクトル帯域はまた、認可無線周波数スペクトル帯域へのアクセスを有しないことがあるスタジアムまたはホテルなどのベニューにワイヤレスアクセスを与えることができる。上記のように、無認可無線周波数スペクトル帯域を介して通信する前に、デバイスは、無線周波数スペクトル帯域へのアクセスを獲得するために、リッスンビフォアトーク（ＬＢＴ）手順を実行し得る。そのようなＬＢＴ手順は、無認可無線周波数スペクトル帯域のチャネルが利用可能であるかどうかを決定するために、クリアチャネルアセスメント（ＣＣＡ）手順（または拡張ＣＣＡ（ｅＣＣＡ：extended CCA）手順）を実行することを含み得る。無認可無線周波数スペクトル帯域のチャネルが利用可能であると決定されると、チャネル使用ビーコン信号（ＣＵＢＳ）は、チャネルを予約するために送信され得る。チャネルが利用可能ではないと決定されたとき、ＣＣＡ手順（またはｅＣＣＡ手順）が後で再びチャネルに関して実行され得る。
【００４７】
[0066]いくつかの状況では、ユーザ機器（ＵＥ）は、無認可無線周波数スペクトル帯域を排他的に使用してセルにアクセスし得、これは、スタンドアロン動作と呼ばれることがある。そのような状況では、ＵＥが、セルにアクセスしようとするとき、さもなければ、セルとの確立された無線リソース制御（ＲＲＣ）接続を有しないとき、ＵＥは、ＬＴＥ／ＬＴＥ−Ａ通信のために使用されるのと同様にランダムアクセス手順を実行し得る。しかしながら、上述のように、無認可無線周波数スペクトル帯域を使用して動作するとき、そのようなランダムアクセス手順は、無認可無線周波数スペクトル帯域へのアクセスを求める競合に勝つために基地局とＵＥの両方による１つまたは複数のＣＣＡ手順の実行を必要とし得る。いくつかの展開では、アクセス要求は、周期的なＣＣＡ免除送信（ＣＥＴ：CCA-exempt transmission）中に送信され得る。しかしながら、そのようなＣＥＴ送信は、比較的低い頻度で（いくつかの例では、８０ｍｓごとに）利用可能である。さらに、いくつかの展開では、基地局は、ＬＢＴフレームの第１のアップリンク（ＵＬ）サブフレーム中に利用可能な拡張物理ランダムアクセスチャネル（ｅＰＲＡＣＨ）を使用してアクセス要求のためのリソースを構成し得る。しかしながら、そのようなアクセス要求は、基地局とＵＥの両方がＣＣＡをクリアしていることを必要とし、無認可無線周波数スペクトル帯域へのアクセスを求める競合の不確実性のために、そのようなアクセス手順は、ＵＥがアクセス要求を送信することが可能になる前に比較的長い期間を生じ得る。さらに、基地局が送信すべきデータを有しない場合、基地局は、チャネル競合手順を試みないことがあり、これは、ＵＥがアクセス要求を送信することができないことがある長い期間にさらに寄与し得る。
【００４８】
[0067]本開示は、基地局とのＲＲＣ接続を確立するためにＵＥがアクセス要求を送信する機会を増加させるための様々な技法を提供する。いくつかの例では、アクセス要求がＲＲＣ接続を確立するために短縮ｅＰＲＡＣＨ（ＳｅＰＲＡＣＨ：shortened ePRACH）技法が使用され得る。そのようなＳｅＰＲＡＣＨは、ＵＥにおいてのみＣＣＡの対象となり得、ＵＥにより永続的なＣＣＡ機会を与え得、ＵＥと基地局との送信の間の潜在的な衝突を低減し得る。いくつかの例では、ＣＥＴの機会および他のｅＰＲＡＣＨの機会に加えて、アクセス要求を送信するＳｅＰＲＡＣＨの機会が与えられ、ＵＥは、１つまたは複数の構成可能な基準に基づいてアクセス要求の送信を試みるためのリソースに優先度を付け得る。いくつかの例では、開示する技法は、基地局がチャネルアクセスに勝つことがない場合にランダムアクセス要求の送信を通してなど、アクセス手順を完了するために必要なチャネル競合の数を低減し得る。ＵＥは、ＬＢＴ無線フレームの１つまたは複数の識別されたサブフレーム中と、識別されたサブフレームの１つまたは複数の識別されたシンボル内とでアクセス要求を送信し得る。チャネルアクセスに勝たなかった基地局は、識別されたＬＢＴ無線フレームの識別されたサブフレームを監視し得、したがって、ＲＲＣ接続セットアップ手順がより効率的になり得る。
【００４９】
[0068]いくつかの例では、ＵＥは、無認可無線周波数スペクトル帯域へのアクセスを獲得し、ＳｅＰＲＡＣＨリソースを使用するためのＣＣＡ手順などの競合ベースのアクセス手順を実行するための識別されたＬＢＴ無線フレームのサブフレーム内のシンボルのサブセットを識別し得る。シンボルのサブセットは、たとえば、前のサブフレーム中で送信され得るＣＵＢＳの検出のためのハードウェア遅延またはソフトウェア遅延に少なくとも部分的に基づいて識別され得る。ＵＥは、競合ベースのチャネルアクセス手順を実行し得、チャネルアクセスに勝ち、ＣＵＢＳが検出されない場合、ＵＥは、要求メッセージのための識別されたシンボルを使用して要求メッセージを送信し得る。いくつかの例では、ＳｅＰＲＡＣＨリソースは、復調基準信号（ＤＭＲＳ）のためのシンボルとデータのシンボルとの２つの直交周波数分割多重（ＯＦＤＭ）シンボルを含み得る。他の例では、ＳｅＰＲＡＣＨリソースは、５つのＯＦＤＭシンボルの長さであり得る。ＳｅＰＲＡＣＨ送信は、基地局送信との衝突を回避するために、基地局からのダウンリンクＣＵＢＳ（Ｄ−ＣＵＢＳ：downlink CUBS）の検出を可能にするためにＬＢＴサブフレームの開始からオフセットするように構成され得る。ＳｅＰＲＡＣＨ送信はまた、ＵＥにおけるアップリンク−ダウンリンク（ＵＬ−ＤＬ）切替えのための遷移時間を可能にし、潜在的なＤ−ＣＵＢＳ送信との干渉を回避するのに十分早期に終了するように構成され得る。
【００５０】
[0069]いくつかの例では、基地局は、その後ＵＥからのアクセス要求について監視され得る拡張物理アップリンク制御チャネル（ｅＰＵＣＣＨ）の１つまたは複数の指定されたサブフレームを使用してランダムアクセスリソースを構成し得る。他の例では、基地局は、ＬＢＴ無線フレームを開始するために、基地局が送信すべきデータを有するかどうかにかかわらず、拡張物理フレームフォーマットインジケータチャネル（ｅＰＦＦＩＣＨ）送信を周期的に送信しようと試み得、ＵＥは、ＬＢＴ無線フレームのために識別されたリソースを使用してアクセス要求を送信し得る。
【００５１】
[0070]以下の説明は、例を与えるものであり、特許請求の範囲に記載される範囲、適用性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する技法は、説明する順序とは異なる順序で実行され得、様々なステップが追加、省略、または組み合わされ得る。また、いくつかの例に関して説明する特徴は、他の例において組み合わされ得る。
【００５２】
[0071]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示されず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００５３】
[0072]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ＮｏｄｅＢ、発展型ノードＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００５４】
[0073]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを提供する、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局１０５、基地局１０５に関連するキャリアもしくは構成要素、またはキャリアもしくは基地局１０５のカバレージエリア１１０（たとえば、セクタなど）を表すために使用され得る第３世代パートナーシッププロジェクト（３ＧＰＰ（登録商標））用語である。
【００５５】
[0074]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、認可、無認可などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５６】
[0075]ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００５７】
[0076]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、ＲＲＣプロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００５８】
[0077]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００５９】
[0078]ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、一方、アップリンク送信は逆方向リンク送信と呼ばれることもある。いくつかの例では、アップリンク送信はアップリンク制御情報の送信を含み得、アップリンク制御情報はアップリンク制御チャネル（たとえば、物理アップリンク制御チャネル（ＰＵＣＣＨ：physical uplink control channel）またはｅＰＵＣＣＨ）上で送信され得る。アップリンク制御情報は、たとえば、ダウンリンク送信の肯定応答もしくは否定応答、またはチャネル状態情報を含み得る。ＵＬ送信はデータの送信をも含み得、データは、物理アップリンク共有チャネル（ＰＵＳＣＨ：physical uplink shared channel）または拡張ＰＵＳＣＨ（ｅＰＵＳＣＨ）上で送信され得る。ＵＬ送信は、サウンディング基準信号（ＳＲＳ：sounding reference signal）または拡張ＳＲＳ（ｅＳＲＳ）、（たとえば、デュアル接続性モード、または図２を参照しながら説明されるスタンドアロンモードでの）物理ランダムアクセスチャネル（ＰＲＡＣＨ：physical random access channel）またはｅＰＲＡＣＨ、あるいは（たとえば、図２を参照しながら説明されるスタンドアロンモードでの）スケジューリング要求（ＳＲ：scheduling request）または拡張ＳＲ（ｅＳＲ）の送信をも含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００６０】
[0079]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００６１】
[0080]ワイヤレス通信システム１００のいくつかの実施形態では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００６２】
[0081]ワイヤレス通信システム１００は、複数のセルまたはキャリア上での動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００６３】
[0082]ワイヤレス通信システム１００は、同じくまたは代替的に、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または無認可無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上での動作をサポートし得る。無認可無線周波数スペクトル帯域へのアクセスを求める競合に勝つと、送信装置（たとえば、基地局１０５またはＵＥ１１５）は、無認可無線周波数スペクトル帯域上で１つまたは複数のＣＵＢＳを送信し得る。ＣＵＢＳは、無認可無線周波数スペクトル帯域上で検出可能なエネルギーを与えることによって、無認可無線周波数スペクトルを確保するように働き得る。ＣＵＢＳはまた、送信装置を識別するように働くか、または送信装置と受信装置とを同期させるように働き得る。
【００６４】
[0083]ＵＥ１１５は、基地局１０５を介して、ワイヤレス通信システム１００のセルにアクセスするためにランダムアクセス手順を開始し得る。セルは、１次セル（または１次サービングセル）としてまたは２次セル（または２次サービングセル）としてアクセスされ得る。セルはまた、セルの構成に応じて認可無線周波数スペクトル帯域または無認可無線周波数スペクトル帯域を介してアクセスされ得る。
【００６５】
[0084]図２は、本開示の様々な態様による、無認可無線周波数スペクトル帯域を使用する様々な状況の下でＬＴＥ／ＬＴＥ−Ａが展開され得るワイヤレス通信システム２００を示す。より具体的には、図２に、無認可無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照して説明したワイヤレス通信システム１００の部分の一例であり得る。その上、第１の基地局２０５および第２の基地局２０５−ａは、図１に関して説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１に関して説明したＵＥ１１５のうちの１つまたは複数の態様の例であり得る。
【００６６】
[0085]ワイヤレス通信システム２００における補助ダウンリンクモードの例では、第１の基地局２０５は、ダウンリンクチャネル２２０を使用して第１のＵＥ２１５に直交周波数分割多元接続（ＯＦＤＭＡ）波形を送信し得る。ダウンリンクチャネル２２０は、無認可無線周波数スペクトル帯域における周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５から単一キャリア周波数分割多元接続（ＳＣ−ＦＤＭＡ）波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０および認可無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、認可無線周波数スペクトルを使用し、トラフィックまたはシグナリングの混雑の一部を緩和する必要がある、任意のサービスプロバイダ（たとえば、モバイルネットワーク事業者（ＭＮＯ））に対して生じ得る。
【００６７】
[0086]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブ周波数分割多元接続（ＦＤＭＡ）波形を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５のためにダウンリンクおよびアップリンクの容量オフロードを提供し得る。上記で説明した補助ダウンリンクのように、この状況は、トラフィックまたはシグナリングの混雑の一部を緩和する必要があるかもしれない認可無線周波数スペクトルを使用する任意のサービスプロバイダ（たとえば、ＭＮＯ）に対して生じ得る。
【００６８】
[0087]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上で与えられた例は説明の目的で提示され、容量オフロードのために、認可無線周波数スペクトル帯域におけるＬＴＥ／ＬＴＥ−Ａを組み合わせ、無認可無線周波数スペクトル帯域を使用する他の同様の動作モードまたは展開状況があり得る。
【００６９】
[0088]上記で説明したように、無認可無線周波数スペクトル帯域においてＬＴＥ／ＬＴＥ−Ａを使用することによって提供される容量のオフロードから利益を得ることがある１つのタイプのサービスプロバイダは、ＬＴＥ／ＬＴＥ−Ａ認可無線周波数スペクトル帯域へのアクセス権を有する従来のＭＮＯである。これらのサービスプロバイダについて、運用上の例としては、認可無線周波数スペクトル帯域上のＬＴＥ／ＬＴＥ−Ａ１次コンポーネントキャリア（ＰＣＣ）と、無認可無線周波数スペクトル帯域上の少なくとも１つの２次コンポーネントキャリア（ＳＣＣ）とを使用するブートストラップモード（たとえば、補足ダウンリンク、キャリアアグリゲーション）があり得る。
【００７０】
[0089]キャリアアグリゲーションモードでは、データおよび制御は、たとえば、（たとえば、第１の双方向リンク２２５と、第３の双方向リンク２３５と、第５の双方向リンク２４５とを介して）認可無線周波数スペクトル帯域において通信され得、データは、たとえば、（たとえば、第２の双方向リンク２３０と第４の双方向リンク２４０とを介して）無認可無線周波数スペクトル帯域において通信され得る。無認可無線周波数スペクトル帯域を使用するときにサポートされるキャリアアグリゲーション機構は、ハイブリッドＦＤＤ−ＴＤＤキャリアアグリゲーション、またはコンポーネントキャリアにわたって異なる対称性を伴うＴＤＤ−ＴＤＤキャリアアグリゲーションの範疇に入り得る。
【００７１】
[0090]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、無認可無線周波数スペクトル帯域における周波数Ｆ３に関連付けられ得る。スタンドアロンモードは、スタジアム内アクセス（たとえば、ユニキャスト、マルチキャスト）など、非従来型のワイヤレスアクセスの状況において使用され得る。この動作モードのためのサービスプロバイダのタイプの例は、認可無線周波数スペクトル帯域へのアクセスを有しないスタジアム所有者、ケーブル会社、イベント主催者、ホテル、企業、または大企業であり得る。
【００７２】
[0091]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、無認可無線周波数スペクトル帯域のチャネルへの（たとえば、無認可無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州電気通信標準化機構（ＥＴＳＩ）（ＥＮ３０１  ８９３）において指定されているＬＢＴプロトコルに基づくＬＢＴプロトコルなど、コンテンションベースのプロトコルの適用を定義し得る。ＬＢＴプロトコルの適用を定義するゲーティング間隔を使用するとき、ゲーティング間隔は、送信装置がコンテンション手順（たとえば、ＣＣＡ手順）を実行する必要があるときを示し得る。ＣＣＡ手順の結果は、（ＬＢＴ無線フレームとも呼ばれる）ゲーティング間隔のために無認可無線周波数スペクトル帯域のチャネルが利用可能であるのかまたは使用中であるのかを送信装置に示し得る。チャネルが対応するＬＢＴ無線フレームのために利用可能（たとえば、使用のために「クリア」）であることをＣＣＡ手順が示すとき、送信装置は、ＬＢＴ無線フレームの一部または全部の間に無認可無線周波数スペクトル帯域のチャネルを予約または使用し得る。チャネルが利用可能ではないこと（たとえば、チャネルが別の送信装置によって使用中であるか、または予約されていること）をＣＣＡ手順が示すとき、送信装置は、ＬＢＴ無線フレームの間にチャネルを使用することを妨げられ得る。
【００７３】
[0092]図３に、本開示の様々な態様による、無認可無線周波数スペクトル帯域を介したワイヤレス通信３１０の例３００を示す。いくつかの例では、ＬＢＴ無線フレーム３１５は、１０ミリ秒の持続時間を有し得、いくつかのダウンリンク（Ｄ）サブフレーム３２０と、いくつかのアップリンク（Ｕ）サブフレーム３２５と、２つのタイプの特殊サブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移を与え得る。
【００７４】
[0093]Ｓ’サブフレーム３３５の間に、図１または図２を参照しながら説明した基地局１０５、２０５、または２０５−ａの１つまたは複数など、１つまたは複数の基地局によって、ワイヤレス通信３１０が行われる無認可無線周波数スペクトル帯域のチャネルをある期間の時間の間予約するために、ダウンリンクＣＣＡ（ＤＣＣＡ）手順３４５が実行され得る。基地局によるＤＣＣＡ手順３４５の成功の後、基地局は、基地局がチャネルを予約したという指示を他の基地局または装置（たとえば、ＵＥ、Ｗｉ−Ｆｉアクセスポイントなど）に提供するために、ＣＵＢＳ（たとえば、Ｄ−ＣＵＢＳ３５０）を送信し得る。いくつかの例では、Ｄ−ＣＵＢＳ３５０は、複数のインターリーブされたリソースブロックを使用して送信され得る。このようにしてＤ−ＣＵＢＳ３５０を送信することにより、Ｄ−ＣＵＢＳ３５０は、無認可無線周波数スペクトル帯域の利用可能な周波数帯域幅の少なくともいくらかの割合を占有し、１つまたは複数の規制要件（たとえば、無認可無線周波数スペクトル帯域を介した送信が、利用可能な周波数帯域幅の少なくとも８０％を占有するという要件）を満たすことが可能になり得る。Ｄ−ＣＵＢＳ３５０は、いくつかの例では、ＬＴＥ／ＬＴＥ−Ａ共通基準信号（ＣＲＳ）またはチャネル状態情報基準信号（ＣＳＩ−ＲＳ）の形態と同様の形態をとり得る。ＤＣＣＡ手順３４５が失敗すると、Ｄ−ＣＵＢＳ３５０が送信されないことがある。
【００７５】
[0094]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間としていくつかのＵＥによって使用され得る。Ｓ’サブフレーム３３５の第２の部分は、ＤＣＣＡ手順３４５のために使用され得る。Ｓ’サブフレーム３３５の第３の部分は、Ｄ−ＣＵＢＳ３５０を送信するために無認可無線周波数スペクトル帯域のチャネルへのアクセスを求めて競合することに成功した１つまたは複数の基地局によって使用され得る。
【００７６】
[0095]Ｓサブフレーム３３０の間に、図１または図２を参照しながら上記で説明したＵＥ１１５、２１５、２１５−ａ、２１５−ｂ、または２１５−ｃの１つまたは複数など、１つまたは複数のＵＥによって、ワイヤレス通信３１０が行われるチャネルをある期間の時間の間予約するために、アップリンクＣＣＡ（ＵＣＣＡ）手順３６５が実行され得る。ＵＥによるＵＣＣＡ手順３６５の成功の後、ＵＥは、ＵＥがチャネルを予約したという指示を他のＵＥまたは装置（たとえば、基地局、Ｗｉ−Ｆｉアクセスポイントなど）に提供するために、アップリンクＣＵＢＳ（Ｕ−ＣＵＢＳ３７０）を送信し得る。いくつかの例では、Ｕ−ＣＵＢＳ３７０は、複数のインターリーブされたリソースブロックを使用して送信され得る。このようにしてＵ−ＣＵＢＳ３７０を送信することにより、Ｕ−ＣＵＢＳ３７０は、無認可無線周波数スペクトル帯域の利用可能な周波数帯域幅の少なくともいくらかの割合を占有し、１つまたは複数の規制要件（たとえば、無認可無線周波数スペクトル帯域を介した送信が、利用可能な周波数帯域幅の少なくとも８０％を占有するという要件）を満たすことが可能になり得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡ手順３６５が失敗すると、Ｕ−ＣＵＢＳ３７０が送信されないことがある。
【００７７】
[0096]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５としていくつかの基地局によって使用され得る。Ｓサブフレーム３３０の第２の部分は、ガード期間（ＧＰ）３６０として使用され得る。Ｓサブフレーム３３０の第３の部分は、ＵＣＣＡ手順３６５のために使用され得る。Ｓサブフレーム３３０の第４の部分は、アップリンクパイロットタイムスロット（ＵｐＰＴＳ）としてまたはＵ−ＣＵＢＳ３７０を送信するために無認可無線周波数スペクトル帯域のチャネルへのアクセスを求めて競合することに成功した１つまたは複数のＵＥによって使用され得る。
【００７８】
[0097]いくつかの例では、ＤＣＣＡ手順３４５またはＵＣＣＡ手順３６５は、単一のＣＣＡ手順の実行を含み得る。他の例では、ＤＣＣＡ手順３４５またはＵＣＣＡ手順３６５は、ｅＣＣＡ手順の実行を含み得る。ｅＣＣＡ手順は、ランダムな数のＣＣＡ手順を含み得、いくつかの例では、複数のＣＣＡ手順を含み得る。上述のように、いくつかの展開は、無認可無線周波数スペクトル帯域での同期演算子の周期的なＣＣＡ免除送信（ＣＥＴ）を可能にし得る。ＣＥＴは、無認可無線周波数スペクトル帯域へのアクセスを求める競合に勝つことなしに、いくつかの例では、ＣＣＡ（たとえば、ＤＣＣＡまたはＵＣＣＡ）を実行することなしに行われ得る。代わりに、事業者は、ＣＥＴを送信する目的でＣＣＡを実行することを免除され得る。
【００７９】
[0098]いくつかの例では、ＣＥＴは、たとえば、８０ミリ秒（８０ｍｓ）に１回、またはＣＥＴ期間ごとに１回行われ得、ここで、ＣＥＴ期間は設定可能な周期性を有し得る。無認可無線周波数スペクトル帯域におけるいくつかの事業者（たとえば、異なるＰＬＭＮ）の各々は、ＣＥＴを送信するための別の１つのサブフレーム（図示されている）または複数のサブフレーム（図示されず）を与えられ得る。ＣＥＴが送信され得るサブフレームは、事前構成されたＣＥＴオケージョンと呼ばれることがある。いくつかの例では、ＣＥＴは、ネットワークにアクセスするためにランダムアクセス手順の一部としてアクセス要求を送信するためにＵＥによって使用され得る。しかしながら、上述のように、そのようなＣＥＴオケージョンは、比較的低い頻度であり得、いくつかの展開では、まったく利用されないことがあり、したがって、アクセス要求を送信するための追加のリソースが望ましいことがある。
【００８０】
[0099]図４に、本開示の様々な態様による、ＵＥ４１５と基地局４０５との間のメッセージフロー４００を示す。いくつかの例では、ＵＥ４１５は、図１または図２を参照しながら説明したＵＥ１１５、２１５、２１５−ａ、２１５−ｂ、または２１５−ｃのうちの１つまたは複数の態様の一例であり得る。いくつかの例では、基地局４０５は、図１または図２を参照しながら説明した基地局１０５、２０５、または２０５−ａのうちの１つまたは複数の態様の一例であり得る。基地局４０５は、無認可無線周波数スペクトル帯域で動作するセルの一部であり得、メッセージは、無認可無線周波数スペクトル帯域を介して（および、随意に、認可無線周波数スペクトル帯域を介して）ＵＥ４１５と基地局４０５との間で送信され得る。
【００８１】
[0100]図４に示すように、ＵＥ４１５は、ブロック４１０において、ＬＢＴフレームがランダムアクセス手順の候補であると決定し得る。いくつかの例では、ＵＥ４１５は、ＬＢＴ無線フレームのいくつかのサブフレームがｅＰＲＡＣＨリソースを含むことを示すシグナリングを（たとえば、ＳＩＢまたはｅＳＩＢを介して）受信し得る。いくつかの例では、そのようなサブフレームは、ＣＥＴ送信よりも高い頻度を有するように構成され得、したがって、ＵＥ４１５がｅＰＲＡＣＨ手順の一部としてアクセス要求メッセージを送信する追加の機会を与え得る。いくつかの例では、ＵＥ４１５は、無線フレームが他の送信のために占有されていることを示すＣＵＢＳを別のノードが送信したと決定し得、その場合、ＵＥ４１５は、特定のサブフレームがｅＰＲＡＣＨリソースを含むように構成されていたとしても、ＬＢＴフレームがランダムアクセス手順の候補でないと決定し得る。ＵＥ４１５は、識別されたサブフレーム中に無認可無線周波数スペクトル帯域が別のノードによって占有されない（たとえば、ＣＵＢＳが前のサブフレームから検出されない）と決定する場合、ＵＥ４１５は、ブロック４２０に示すように、無認可無線周波数スペクトル帯域へのアクセスを求めて競合する。アクセスを求める競合は、競合ベースのアクセス手順（たとえば、ＣＣＡ手順）を通して行われ得る。競合ベースのアクセス手順は、基地局が無認可無線周波数スペクトル帯域へのアクセスを有するかどうかにかかわらず実行され得る。いくつかの例では、競合ベースのアクセス手順を実行するための識別されたサブフレーム中の時間窓は、識別されたサブフレームとサブフレーム中で識別されたｅＰＲＡＣＨリソースとに少なくとも部分的に基づいて決定され得る。
【００８２】
[0101]ＵＥ４１５が、チャネル競合に勝つ場合、ＵＥ４１５は、ブロック４２５に示すように、ランダムアクセス手順を開始し、ｅＰＲＡＣＨリソースを使用して接続セットアップ要求を含み得る要求メッセージ４３０を送信し得る。いくつかの例では、要求メッセージ４３０は、スケジュールされていない要求メッセージであり得、無認可無線周波数スペクトル帯域を介して送信され得る。いくつかの例では、要求メッセージ４３０は、接続セットアップ要求（たとえば、ＲＲＣ要求）、接続再確立要求（たとえば、ＲＲＣ接続再確立要求）、バッファステータス報告（ＢＳＲ）、デバイス識別子、または原因値（たとえば、セルがアクセスされている理由）を含み得る。いくつかの例では、要求メッセージは、アップリンク許可のための明示的な要求または暗黙的な要求を含み得る。デバイス識別子は、たとえば、ＵＥ識別子（ＵＥ  ＩＤ）、非アクセス層識別子（ＮＡＳ  ＩＤ）、セル無線ネットワーク一時識別子（Ｃ−ＲＮＴＩ）、または乱数を含み得る。
【００８３】
[0102]要求メッセージ４３０を送信したことに応答して、ＵＥ４１５は、応答メッセージ４４５を監視することによってランダムアクセス手順を継続し得る。ＵＥ４１５は、無認可無線周波数スペクトル帯域を介して応答メッセージ４４５（たとえば、拡張ランダムアクセス応答（ｅＲＡＲ））を受信し得る。応答メッセージ４４５は、たとえば、接続構成メッセージ（たとえば、ＲＲＣ応答）のうちの１つまたは複数、チャネル競合解決指示、（いくつかの例では、変調および符号化方法（ＭＣＳ）インデックスを含む）スケジュールされたアップリンク許可、デバイス識別子、またはタイミング調整の指示を含み得る。応答メッセージ４４５は、ランダムアクセス無線ネットワーク一時識別子（ＲＡ−ＲＮＴＩ）に宛てられ得る。いくつかの例では、応答メッセージ４４５は、レイヤ２（Ｌ２）メッセージ（たとえば、ランダムアクセス応答（ＲＡＲ））またはレイヤ３（Ｌ３）メッセージ（たとえば、ＲＲＣ構成）を含み得る。
【００８４】
[0103]いくつかの例では、基地局４０５は、ブロック４３５に示すように、ｅＰＲＡＣＨ上で要求メッセージが受信された複数のＵＥの間のチャネル競合があれば、それを解決した後に、および、ブロック４４０において無認可無線周波数スペクトル帯域へのアクセスを求めて競合し、それに勝った後に、応答メッセージ４４５を送信し得る。代替的に、いくつかの例では、基地局４０５は、事前構成されたダウンリンクＣＥＴオケージョン中に無認可無線周波数スペクトル帯域を介して応答メッセージ４４５を送信し得る。いくつかの例では、応答メッセージ４４５は、（たとえば、接続セットアップまたは接続再確立のコンテキストでの）接続確立時間窓などの時間窓内に基地局４０５によって送信され、ＵＥ４１５によって受信され得る。応答メッセージ４４５は、ｅＰＲＡＣＨについての少なくとも１つの電力制御パラメータによって示された出力で送信され得、電力制御パラメータは、ｅＰＵＳＣＨのために使用される電力制御パラメータとは異なり得る。時間窓（または窓）と少なくとも１つの電力制御パラメータとは、ＳＩＢ中で基地局４０５によって示され得る。いくつかの例では、時間窓は、要求メッセージ４３０のＵＥの送信に続く遅延に関して示され得る。
【００８５】
[0104]応答メッセージ４４５の受信の後、ＵＥ４１５は、ブロック４５０に示すように、応答メッセージ４４５からのＲＲＣ構成設定を適用し、無認可無線周波数スペクトル帯域を介してスケジュールされた送信４５５を送信し得る。スケジュールされた送信４５５は、応答メッセージ４４５の一部として受信されたアップリンク許可に従って送信され得る。いくつかの例では、スケジュールされた送信４５５は、スケジュールされた確認メッセージ（たとえば、ＲＲＣ確認）またはＮＡＳサービス要求を含み得る。したがって、図４のコールフローは、基地局４０５を通してネットワークにアクセスしようとしているＵＥ４１５に追加のランダムアクセス機会を与え得る。いくつかの例では、ＵＥ４１５は、識別されたサブフレーム中の任意の時点においてチャネルアクセスを求めて競合し得る。ただし、別のノードが、識別されたサブフレーム中の送信を示すＣＵＢＳを送信した場合、ＵＥ４１５からの送信は、そのような送信との衝突を有し得る。そのような衝突は、ネットワークパフォーマンスを劣化させることがあり、いくつかの例では、以下でより詳細に説明するように、そのような衝突を低減するのを助けるＳｅＰＲＡＣＨプロセスが提供され得る。いくつかの例では、基地局４０５は、特定の時間に受けるネットワーク特性に基づいてＵＥ４１５のためのｅＰＲＡＣＨおよびＳｅＰＲＡＣＨ動作を構成し得る。たとえば、送信しようとしているいくつかの異なるノードから輻輳が存在する状況において、基地局５０５は、同じく以下でより詳細に説明するように、利用可能なランダムアクセスリソースに対する負荷を調整するようにｅＰＲＡＣＨおよびＳｅＰＲＡＣＨを構成し得る。
【００８６】
[0105]図５に、本開示の様々な態様による、ＵＥ５１５と基地局５０５との間のメッセージフロー５００を示す。いくつかの例では、ＵＥ５１５は、図１、図２、または図４を参照しながら説明したＵＥ１１５、２１５、２１５−ａ、２１５−ｂ、２１５−ｃ、または４１５のうちの１つまたは複数の態様の一例であり得る。いくつかの例では、基地局５０５は、図１、図２、または図４を参照しながら説明した基地局１０５、２０５、２０５−ａ、または４０５のうちの１つまたは複数の態様の一例であり得る。基地局５０５は、無認可無線周波数スペクトル帯域で動作するセルの一部であり得、メッセージは、無認可無線周波数スペクトル帯域を介して（および、随意に、認可無線周波数スペクトル帯域を介して）ＵＥ５１５と基地局５０５との間で送信され得る。
【００８７】
[0106]図５に示すように、基地局５０５は、ブロック５１０において、無認可無線周波数スペクトル帯域へのアクセスを求めて競合し得る。競合に勝った場合、基地局５０５は、ＬＢＴフレームを開始しようとする周期的な試みの一部としてｅＰＦＦＩＣＨ送信５２０を送信し得る。ＵＥ５１５は、ブロック５２５に示すように、ｅＰＦＦＩＣＨ送信５２０を受信し、ランダムアクセス要求メッセージを送信するために使用され得るＬＢＴフレーム内の利用可能なｅＰＲＡＣＨリソースを決定し得る。いくつかの例では、ＬＢＴ無線フレームのいくつかのサブフレームがｅＰＲＡＣＨリソースを含むことを示すシグナリングをｅＰＦＦＩＣＨ送信５２０が含み得るか、または他のシグナリングが（たとえば、以前に送信されたＳＩＢまたはｅＳＩＢを介して）基地局５０５によって与えられていることがある。いくつかの例では、基地局５０５は、ＣＥＴ送信よりも高い頻度でｅＰＦＦＩＣＨメッセージ５２０を送信しようと試み得、したがって、ＵＥ５１５がｅＰＲＡＣＨ手順の一部としてアクセス要求メッセージを送信する追加の機会を与え得る。いくつかの例では、ＵＥ５１５は、ｅＰＦＦＩＣＨメッセージ５２０に基づいてＬＢＴフレーム境界を決定し得、これは、ＵＥ５１５からの以降の送信のタイミングのために使用され得る。
【００８８】
[0107]ブロック５３０において、ＵＥ５１５は、無認可無線周波数スペクトル帯域へのアクセスを求めて競合し得る。アクセスを求める競合は、競合ベースのアクセス手順（たとえば、ＣＣＡ手順）を通して行われ得る。ＵＥ５１５が、チャネル競合に勝つ場合、ＵＥ５１５は、図４に関して上記で説明したのと同様に、ブロック５３５に示すように、ランダムアクセス手順を開始し、ｅＰＲＡＣＨリソースを使用して接続セットアップ要求を含み得る要求メッセージ５４０を送信し得る。
【００８９】
[0108]要求メッセージ５４０を送信したことに応答して、ＵＥ５１５は、応答メッセージ５５０を監視することによってランダムアクセス手順を継続し得る。ＵＥ５１５は、図４に関して上記で説明したのと同様に、無認可無線周波数スペクトル帯域を介して応答メッセージ５５０（たとえば、ｅＲＡＲ）を受信し得る。いくつかの例では、基地局５０５は、ブロック５４５に示すように、ｅＰＲＡＣＨ上で要求メッセージが受信された複数のＵＥの間のチャネル競合があれば、それを解決した後に応答メッセージ５５０を送信し得る。代替的に、いくつかの例では、基地局５０５は、事前構成されたダウンリンクＣＥＴオケージョン中に無認可無線周波数スペクトル帯域を介して応答メッセージ５５０を送信し得る。いくつかの例では、応答メッセージ５５０は、（たとえば、接続セットアップまたは接続再確立のコンテキストにおける）接続確立時間窓などの時間窓内に基地局５０５によって送信され、ＵＥ５１５によって受信され得る。応答メッセージ５５０は、ｅＰＲＡＣＨについての少なくとも１つの電力制御パラメータによって示された出力で送信され得、電力制御パラメータは、ｅＰＵＳＣＨのために使用される電力制御パラメータとは異なり得る。時間窓（または窓）と少なくとも１つの電力制御パラメータとは、ＳＩＢ中で基地局５０５によって示され得る。いくつかの例では、時間窓は、ＵＥによる要求メッセージ５４０の送信に続く遅延に関して示され得る。
【００９０】
[0109]応答メッセージ５５０の受信の後、ＵＥ５１５は、ブロック５５５に示すように、応答メッセージ５５０からのＲＲＣ構成設定を適用し、無認可無線周波数スペクトル帯域を介してスケジュールされた送信５６０を送信し得る。スケジュールされた送信５６０は、応答メッセージ５５０の一部として受信されたアップリンク許可に従って送信され得る。いくつかの例では、スケジュールされた送信５６０は、スケジュールされた確認メッセージ（たとえば、ＲＲＣ確認）またはＮＡＳサービス要求を含み得る。
【００９１】
[0110]図６に、本開示の様々な態様による、ＵＥ６１５と基地局６０５との間のメッセージフロー６００を示す。いくつかの例では、ＵＥ６１５は、図１、図２、図４、または図５を参照しながら説明したＵＥ１１５、２１５、２１５−ａ、２１５−ｂ、２１５−ｃ、４１５、または５１５のうちの１つまたは複数の態様の一例であり得る。いくつかの例では、基地局６０５は、図１、図２、図４、または図５を参照しながら説明した基地局１０５、２０５、２０５−ａ、４０５、または５０５のうちの１つまたは複数の態様の一例であり得る。基地局６０５は、無認可無線周波数スペクトル帯域で動作するセルの一部であり得、メッセージは、無認可無線周波数スペクトル帯域を介して（および、随意に、認可無線周波数スペクトル帯域を介して）ＵＥ６１５と基地局６０５との間で送信され得る。
【００９２】
[0111]図６に示すように、ＵＥ６１５は、ブロック６１０において、ＬＢＴフレームがランダムアクセス手順の候補であると決定し得、ＳｅＰＲＡＣＨリソースなどのランダムアクセス要求リソースを含むＬＢＴフレーム内の利用可能なサブフレームを決定し得る。いくつかの例では、ＵＥ６１５は、ＬＢＴ無線フレームのいくつかのサブフレームがＳｅＰＲＡＣＨリソースを含むことを示すシグナリングを（たとえば、ＳＩＢまたはｅＳＩＢを介して）受信し得る。いくつかの例では、そのようなサブフレームは、ＣＥＴ送信よりも高い頻度を有し、ア通常のｅＰＲＡＣＨリソースよりも高い頻度を有するように構成され得、したがって、ＵＥ６１５がランダムアクセス手順の一部としてアクセス要求メッセージを送信する追加の機会を与え得る。いくつかの例では、ＵＥ６１５は、無線フレームが他の送信のために占有されていることを示すＣＵＢＳを別のノードが送信したと決定し得、その場合、ＵＥ６１５は、特定のサブフレームがＳｅＰＲＡＣＨリソースを含むように構成されていたとしても、ＬＢＴフレームがランダムアクセス手順の候補でないと決定し得る。ＵＥ６１５は、識別されたサブフレーム中に無認可無線周波数スペクトル帯域が別のノードによって占有されない（たとえば、ＣＵＢＳが前のサブフレームから検出されない）と決定する場合、ＵＥ６１５は、ブロック６２０に示すように、無認可無線周波数スペクトル帯域へのアクセスを求めて競合する。アクセスを求める競合は、競合ベースのアクセス手順（たとえば、ＣＣＡ手順）を通して行われ得る。競合ベースのアクセス手順は、基地局が無認可無線周波数スペクトル帯域へのアクセスを有するかどうかにかかわらず実行され得る。いくつかの例では、競合ベースのアクセス手順を実行するための識別されたサブフレーム中の時間窓は、識別されたサブフレームとサブフレーム中で識別されたｅＰＲＡＣＨリソースとに少なくとも部分的に基づいて決定され得る。
【００９３】
[0112]競合ベースのアクセス手順を実行するための時間窓は、Ｄ−ＣＵＢＳ検出遅延を考慮した後に永続的なＣＣＡ／ｅＣＣＡを与えるように選択され得る。たとえば、別のノードが識別されたサブフレームのためのチャネルを占有すると決定された場合、ＵＥ６１５は、チャネルアクセスを求めて競合しないことがある。いくつかの例では、ＵＥ６１５によって受信され得るＤ−ＣＵＢＳは、サブフレームの最後のシンボル（たとえば、シンボル１３）中に送信され得る。Ｄ−ＣＵＢＳ信号の実際の検出は、ＵＥ６１５における受信された信号のハードウェアおよびソフトウェア処理の後に行われ得る。たとえば、ハードウェア遅延は、３つのシンボルの間持続し得、ソフトウェア遅延は、３つ以上よりいくぶん多くのシンボルの間持続し得る。したがって、識別されたサブフレーム内に、ＵＥ６１５は、サブフレームの第６のシンボルにおいてのみ開始するＤ−ＣＵＢＳ信号を検出し得、ＵＥ６１５は、ハードウェア遅延およびソフトウェア遅延の満了より前にＣＣＡを試みないことがある。さらに、いくつかの例では、識別されたサブフレームの最後のシンボルは、ＵＥ６１５を送信モードから受信モードに切り替えるための何らかの時間とともにそのシンボル中に送信され得る任意のＤ−ＣＵＢＳをＵＥ６１５が受信するためのリスニング機会を与えるために、アクセス要求の送信のために利用不可能と識別され得る。したがって、そのような例では、サブフレームの最後の２つのシンボルは、送信のために利用可能でないと示され得る。
【００９４】
[0113]これは、ＵＥ６１５によるチャネル競合とアクセス要求メッセージの送信の両方のために利用可能なサブフレームの一定数のシンボルを残す。たとえば、ハードウェア遅延およびソフトウェア遅延がサブフレームの第６のシンボルに及び、Ｄ−ＣＵＢＳの受信を保護するために最後の２つのシンボルが空のまま残される場合、ＵＥ６１５は、チャネル競合と要求メッセージの送信とのために利用可能な７つ未満のシンボルを有し得る。いくつかの例では、利用可能なシンボルの第１のサブセットは、競合ベースのチャネルアクセスの実行のために識別され、シンボルの第２のサブセットは、アクセス要求メッセージの送信のために識別される。いくつかの例では、基地局６０５は、アクセス要求メッセージのために利用可能であるとして２つのシンボルを構成し得、これらの２つのシンボルは、識別されたサブフレームのためのＳｅＰＲＡＣＨリソースとして識別される。シンボルの第２のサブセットの第１のシンボルは、ＤＭＲＳのために使用され得、シンボルの第２のサブセットの第２のシンボルは、データの送信のために使用され得る。データ送信のレートは、利用可能な日付レートの１／２であり得、第２のシンボルの１つのインターレースを使用する４位相シフトキーイング（ＱＰＳＫ）を使用して送信され得る。いくつかの例では、複数のＵＥは、特定のＵＥ６１５からのシンボルを識別するために使用され得る信号処理の前に異なるＤＭＲＳシフト、異なるインターレース、またはシンボル繰り返しを使用して多重化され得る。いくつかの例では、ＵＥ６１５は、ＳｅＰＲＡＣＨメッセージのために利用可能である追加のシンボルを与え得るＣＵＢＳを送信しないことがある。いくつかの例では、ＳｅＰＲＡＣＨリソースの開始がサブフレーム境界と整合していないことがあり、したがって、追加のリソースが利用可能になり得る。追加または代替として、ＳｅＰＲＡＣＨリソースの開始は、シンボル境界と整合され得る。さらに、基地局６０５は、より短くなるようにシンボルの第１のサブセットを構成し、より長くなるようにシンボルの第２のサブセットを構成し、そのような方法で追加のＳｅＰＲＡＣＨリソースを与え得る。
【００９５】
[0114]ＵＥ６１５が、上記で説明した利用可能なＣＣＡ／ｅＣＣＡ時間窓に基づいてチャネル競合に勝つ場合、ＵＥ６１５は、上記で説明したようになど、ブロック６２５に示すように、ランダムアクセス手順を開始し、ｅＰＲＡＣＨリソースを使用して接続セットアップ要求を含み得る要求メッセージ６３０を送信し得る。いくつかの例では、要求メッセージ６３０は、スケジュールされていない要求メッセージであり得、ＳｅＰＲＡＣＨリソースとして識別される１つまたは複数のシンボルを使用して無認可無線周波数スペクトル帯域を介して送信され得る。いくつかの例では、要求メッセージ６３０は、接続セットアップ要求（たとえば、ＲＲＣ要求）、接続再確立要求（たとえば、ＲＲＣ接続再確立要求）、ＢＳＲ、デバイス識別子、または原因値（たとえば、セルがアクセスされている理由）のうちの１つまたは複数を含み得る。いくつかの例では、要求メッセージは、アップリンク許可のための明示的な要求または暗黙的な要求を含み得る。デバイス識別子は、たとえば、ＵＥ  ＩＤ、ＮＡＳ  ＩＤ、Ｃ−ＲＮＴＩ、または乱数を含み得る。
【００９６】
[0115]要求メッセージ６３０を送信したことに応答して、ＵＥ６１５は、応答メッセージ６４５を監視することによってランダムアクセス手順を継続し得る。ＵＥ６１５は、無認可無線周波数スペクトル帯域を介して応答メッセージ６４５（たとえば、ｅＲＡＲ）を受信し得る。応答メッセージ６４５は、たとえば、接続構成メッセージ（たとえば、ＲＲＣ応答）、チャネル競合解決指示、（いくつかの例では、ＭＣＳインデックスを含む）スケジュールされたアップリンク許可、デバイス識別子、またはタイミング調整の指示のうちの１つまたは複数を含み得る。応答メッセージ６４５は、ランダムアクセス無線ネットワーク一時識別子（ＲＡ−ＲＮＴＩ）に宛てられ得る。いくつかの例では、応答メッセージ６４５は、Ｌ２メッセージ（たとえば、ＲＡＲ）またはＬ３メッセージ（たとえば、ＲＲＣ構成）を含み得る。
【００９７】
[0116]いくつかの例では、基地局６０５は、ブロック６３５に示すように、ｅＰＲＡＣＨ上で要求メッセージが受信された複数のＵＥの間のチャネル競合があれば、それを解決した後に、および、ブロック６４０において無認可無線周波数スペクトル帯域へのアクセスを求めて競合し、それに勝った後に、応答メッセージ６４５を送信し得る。代替的に、いくつかの例では、基地局６０５は、事前構成されたダウンリンクＣＥＴオケージョン中に無認可無線周波数スペクトル帯域を介して応答メッセージ６４５を送信し得る。いくつかの例では、応答メッセージ６４５は、（たとえば、接続セットアップまたは接続再確立のコンテキストにおける）接続確立時間窓などの時間窓内に基地局６０５によって送信され、ＵＥ６１５によって受信され得る。応答メッセージ６４５は、ｅＰＲＡＣＨについての少なくとも１つの電力制御パラメータによって示された出力で送信され得、電力制御パラメータは、ｅＰＵＳＣＨのために使用される電力制御パラメータとは異なり得る。時間窓（または窓）と少なくとも１つの電力制御パラメータとは、ＳＩＢ中で基地局６０５によって示され得る。いくつかの例では、時間窓は、ＵＥによる要求メッセージ６３０の送信に続く遅延に関して示され得る。
【００９８】
[0117]応答メッセージ６４５の受信の後、ＵＥ６１５は、ブロック６５０に示すように、応答メッセージ６４５からのＲＲＣ構成設定を適用し、無認可無線周波数スペクトル帯域を介してスケジュールされた送信６５５を送信し得る。スケジュールされた送信６５５は、応答メッセージ６４５の一部として受信されたアップリンク許可に従って送信され得る。いくつかの例では、スケジュールされた送信６５５は、スケジュールされた確認メッセージ（たとえば、ＲＲＣ確認）またはＮＡＳサービス要求を含み得る。したがって、図６のコールフローは、基地局６０５を通してネットワークにアクセスしようとしているＵＥ６１５に追加のランダムアクセス機会を与え得る。いくつかの例では、ＵＥ６１５は、識別されたサブフレーム中の任意の時点においてチャネルアクセスを求めて競合し得る。ただし、別のノードが、識別されたサブフレーム中の送信を示すＣＵＢＳを送信した場合、ＵＥ６１５からの送信は、そのような送信との衝突を有し得る。そのような衝突は、ネットワークパフォーマンスを劣化させることがあり、いくつかの例では、以下でより詳細に説明するように、そのような衝突を低減するのを助けるＳｅＰＲＡＣＨプロセスが提供され得る。いくつかの例では、基地局６０５は、特定の時間に受けるネットワーク特性に基づいてＵＥ６１５のためのｅＰＲＡＣＨおよびＳｅＰＲＡＣＨ動作を構成し得る。たとえば、送信しようとしているいくつかの異なるノードから輻輳が存在する状況において、基地局５０５は、同じく以下でより詳細に説明するように、利用可能なランダムアクセスリソースに対する負荷を調整するようにｅＰＲＡＣＨおよびＳｅＰＲＡＣＨを構成し得る。
【００９９】
[0118]図７に、本開示の様々な態様による、無認可無線周波数スペクトル帯域を介したＳｅＰＲＡＣＨリソースを使用したワイヤレス通信７１０の一例７００を示す。いくつかの例では、ワイヤレス通信７１０は、１４個のシンボル７２０を含み得るＬＢＴ無線サブフレーム７１５を含み得る。図示のように、ＬＢＴ無線サブフレーム７１５は、２つのシンボルを含み得るＳｅＰＲＡＣＨ送信リソース７４５と、Ｄ−ＣＵＢＳハードウェア検出遅延７２５に基づいて決定され得るタイミングと、Ｄ−ＣＵＢＳソフトウェアおよびスイッチアップアップリンク送信遅延７３０と、構成された長さのＣＣＡ／ｅＣＣＡ機会７３５とを含み得、これは、ＣＵＢＳリソース７４０を含み得る。図６に関して上記で説明したのと同様に、サブフレーム７１５の一部分７５０は、ＵＥがアップリンクモードからダウンリンクモードに切り替え、サブフレーム７１５の最後のシンボル中でＤ−ＣＵＢＳをリッスンすることを可能にするために空のまま残され得る。そのような方法で、基地局が、ＣＵＢＳリソース７４０上でのＵＥからの送信またはＳｅＰＲＡＣＨリソース７４５中のＤＭＲＳを逃し、ＵＥのＳｅＰＲＡＣＨリソース７４５中で開始するＤ−ＣＵＢＳに送る場合、最後のシンボルミー中の基地局からのＤ−ＣＵＢＳが干渉なしに他のノードによって受信される。
【０１００】
[0119]いくつかの例では、サブフレーム７１５の１つまたは複数の態様は、図１、図２、図４、図５、または図６を参照しながら説明した基地局１０５、２０５、２０５−ａ、４０５、５０５、または６０５などの基地局によって広告され得る。たとえば、基地局は、基地局にアクセス要求メッセージを送信する７４５ｔｏサブフレーム７１５のどのシンボル７２０がＳｅＰＲＡＣＨリソースとして利用可能であるのかを広告し得る。ＵＥは、次いで、ハードウェア遅延およびソフトウェア遅延に基づき、ＣＵＢＳの送信が構成されたかどうかに基づいて、ＣＣＡ／ｅＣＣＡ機会７３５のために利用可能であるサブフレーム７１５の利用可能な一部分を決定し得る。利用可能なＳｅＰＲＡＣＨリソース７４５を広告することを通して、ＵＥが無認可無線周波数スペクトル帯域へのアクセスを求める競合に勝つことが可能であるときでも、基地局は、いくつかのサブフレーム中のＳｅＰＲＡＣＨ上での要求メッセージの送信を禁止し得る。いくつかの例では、基地局はまた、１次同期信号（ＰＳＳ）または２次同期信号（ＳＳＳ）が送信され得るサブフレーム中で、ＳｅＰＲＡＣＨリソース７４５上での要求メッセージの送信を禁止し得、あるいは時分割複信モードで動作するときに、基地局は、ダウンリンクのみのサブフレーム中でＳｅＰＲＡＣＨ上での要求メッセージの送信を禁止し得る。したがって、基地局は、基地局がチャネル競合に勝ったかどうかにかかわらず要求メッセージについてＳｅＰＲＡＣＨリソースを監視し得る。
【０１０１】
[0120]上記で説明したように、ＳｅＰＲＡＣＨリソース７４５は、ＵＥがランダムアクセス要求メッセージを送信するための他の利用可能なリソースとは別のものであり得る。いくつかの例では、ＵＥは、１つまたは複数の他のリソースが、要求メッセージの送信のために利用可能であると決定し、利用可能なリソースの優先度付けに少なくとも部分的に基づいて要求メッセージの送信のための利用可能なリソースのうちの１つを選択し得る。たとえば、基地局は、要求メッセージの送信のための次の利用可能なリソースに基づいて要求メッセージの送信のための利用可能なリソースの優先度付けを構成し得る。したがって、ＵＥは、要求メッセージが送信されるべきであると決定する場合、単に、ＣＥＴ、ｅＰＲＡＣＨリソース、またはＳｅＰＲＡＣＨリソースなどの送信のための次の利用可能なリソースを決定し、決定されたリソースを使用する。いくつかの例では、要求メッセージの送信のための利用可能なリソースの優先度付けは、ＳＩＢまたはｅＳＩＢ中で受信されたリソースの優先度付けに基づく。またさらなる例では、ｅＰＲＡＣＨリソースを用いるＬＢＴフレームが、ＵＥのランダムアクセス手順の開始から時間窓中にノート検出された場合、ＵＥは、ＳｅＰＲＡＣＨの前にｅＰＲＡＣＨに優先度を付け、ＳｅＰＲＡＣＨリソースのみを使用し得る。
【０１０２】
[0121]またさらなる例では、基地局は、要求メッセージの送信のためのオブ利用可能なリソースの優先度を付け得、利用可能なリソースのバイアス付きランダム選択に基づき、したがって、いくつかのリソースのローディングを制御し得る。たとえば、ＳＩＢまたはｅＳＩＢ中に、基地局は、要求メッセージの送信のための利用可能なリソースのうちの１つまたは複数に対する要求メッセージの負荷を制御するパラメータを含み得る。そのようなパラメータは、たとえば、バイアスを用いてＵＥを構成し得、ＵＥは、本質的に、ｅＰＲＡＣＨリソースを使用すべきなのか、またはＳｅＰＲＡＣＨリソースを使用すべきなのかを決定するために、バイアスコイン（たとえば、６０％の可能性の１つの結果、４０％の可能性の他の結果）をフリップし得る。基地局は、ＳｅＰＲＡＣＨ負荷を増加または低減するために、バイアスアップまたはバイアスダウンを調整することによってなど、パラメータを調整し得る。さらに、いくつかの例では、ＵＥがＳｅＰＲＡＣＨ干渉を検出する場合、ＵＥは、レート制御バックオフを妨げるために基地局にＳｅＰＲＡＣＨ干渉情報をフィードバックし得る。
【０１０３】
[0122]図８に、本開示の様々な態様による、ワイヤレス通信において使用するための装置８１５のブロック図８００を示す。装置８１５は、図１、図２、図４、図５、または図６を参照しながら説明したＵＥ１１５、２１５、２１５−ａ、２１５−ｂ、２１５−ｃ、４１５、５１５、または６１５のうちの１つまたは複数の態様の一例であり得る。装置８１５はまた、プロセッサであるか、またはそれを含み得る。装置８１５は、受信機モジュール８１０、ＵＥワイヤレス通信管理モジュール８２０、または送信機モジュール８３０を含み得る。これらのモジュールの各々は、互いに通信していることがある。
【０１０４】
[0123]装置８１５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタム集積回路（ＩＣ））が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１０５】
[0124]いくつかの例では、受信機モジュール８１０は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または無認可無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上で、送信を受信するように動作可能な少なくとも１つの無線周波数（ＲＦ）受信機など、少なくとも１つのＲＦ受信機を含み得る。いくつかの例では、認可無線周波数スペクトル帯域または無認可無線周波数スペクトル帯域は、たとえば、図１〜図７を参照しながら説明したように、ＬＴＥ／ＬＴＥ−Ａ通信のために使用され得る。受信機モジュール８１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１０６】
[0125]いくつかの例では、送信機モジュール８３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール８３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１０７】
[0126]いくつかの例では、ＵＥワイヤレス通信管理モジュール８２０は、装置８１５のためのワイヤレス通信の１つまたは複数の態様を管理するために使用され得る。いくつかの例では、ＵＥワイヤレス通信管理モジュール８２０は、ｅＰＲＡＣＨ／ＳｅＰＲＡＣＨ要求送信管理モジュール８３５または応答処理モジュール８４０を含み得る。
【０１０８】
[0127]いくつかの例では、ｅＰＲＡＣＨ／ＳｅＰＲＡＣＨ要求送信管理モジュール８３５は、要求メッセージを送信するために使用され得る。要求メッセージは、無認可無線周波数スペクトル帯域で動作するセルにアクセスするためにｅＰＲＡＣＨまたはＳｅＰＲＡＣＨリソース上で送信され得る。いくつかの例では、要求メッセージは、無認可無線周波数スペクトル帯域を介したスケジュールされていない要求メッセージであり得る。いくつかの例では、要求メッセージは、接続セットアップ要求、接続再確立要求、バッファステータス報告、デバイス識別子、または原因値のうちの少なくとも１つを含み得る。
【０１０９】
[0128]いくつかの例では、応答処理モジュール８４０は、要求メッセージを送信したことに応答して、応答メッセージを受信するために使用され得る。応答メッセージは、無認可無線周波数スペクトル帯域を介して受信され得る。いくつかの例では、応答メッセージは、接続構成メッセージ、チャネル競合解決指示、スケジュールされたアップリンク許可、デバイス識別子、またはタイミング調整の指示のうちの少なくとも１つを含み得る。
【０１１０】
[0129]装置８１５のいくつかの例では、要求メッセージは、さらに、図３〜図７を参照しながら説明したようにリソースを使用して構成または送信され得、あるいは応答メッセージは、さらに、図３〜図７を参照しながら説明したように構成または受信され得る。
【０１１１】
[0130]図９に、本開示の様々な態様による、ワイヤレス通信において使用するための装置９１５のブロック図９００を示す。装置９１５は、図１、図２、図４、図５、または図６を参照しながら説明したＵＥ１１５、２１５、２１５−ａ、２１５−ｂ、２１５−ｃ、４１５、５１５、または６１５のうちの１つまたは複数の態様、あるいは図８を参照しながら説明した装置８１５の態様の一例であり得る。装置９１５はまた、プロセッサであるか、またはそれを含み得る。装置９１５は、受信機モジュール９１０、基地局ワイヤレス通信管理モジュール９２０、または送信機モジュール９３０を含み得る。これらのモジュールの各々は、互いに通信していることがある。
【０１１２】
[0131]装置９１５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１１３】
[0132]いくつかの例では、受信機モジュール９１０は、認可無線周波数スペクトル帯域（たとえば、ＬＴＥ／ＬＴＥ−Ａ通信に使用できる認可無線周波数スペクトル帯域など、無線周波数スペクトル帯域が特定の用途のために特定のユーザに認可されているので、送信装置がアクセスを求めて競合しないことがある無線周波数スペクトル帯域）または無認可無線周波数スペクトル帯域（たとえば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの少なくとも１つのＲＦ受信機を含み得る。いくつかの例では、認可無線周波数スペクトル帯域または無認可無線周波数スペクトル帯域は、たとえば、図１〜図７を参照しながら説明したように、ＬＴＥ／ＬＴＥ−Ａ通信のために使用され得る。受信機モジュール９１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するためのＬＴＥ／ＬＴＥ−Ａ受信機モジュール（たとえば、認可ＲＦスペクトル帯域のためのＬＴＥ／ＬＴＥ−Ａ受信機モジュール９１２）、および無認可無線周波数スペクトル帯域を介して通信するためのＬＴＥ／ＬＴＥ−Ａ受信機モジュール（たとえば、無認可ＲＦスペクトル帯域のためのＬＴＥ／ＬＴＥ−Ａ受信機モジュール９１４）の形態をとり得る。認可ＲＦスペクトル帯域のためのＬＴＥ／ＬＴＥ−Ａ受信機モジュール９１２または無認可ＲＦスペクトル帯域のためのＬＴＥ／ＬＴＥ−Ａ受信機モジュール９１４を含む受信機モジュール９１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１１４】
[0133]いくつかの例では、送信機モジュール９３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール９３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（たとえば、認可ＲＦスペクトル帯域のためのＬＴＥ／ＬＴＥ−Ａ送信機モジュール９３２）、および無認可無線周波数スペクトル帯域を介して通信するためのＬＴＥ／ＬＴＥ−Ａ送信機モジュール（たとえば、無認可ＲＦスペクトル帯域のためのＬＴＥ／ＬＴＥ−Ａ送信機モジュール９３４）の形態をとり得る。認可ＲＦスペクトル帯域のためのＬＴＥ／ＬＴＥ−Ａ送信機モジュール９３２または無認可ＲＦスペクトル帯域のためのＬＴＥ／ＬＴＥ−Ａ送信機モジュール９３４を含む送信機モジュール９３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１１５】
[0134]いくつかの例では、ＵＥワイヤレス通信管理モジュール９２０は、装置９１５のためのワイヤレス通信の１つまたは複数の態様を管理するために使用され得る。いくつかの例では、ＵＥワイヤレス通信管理モジュール９２０は、ＣＣＡモジュール９４５、システム情報処理モジュール９５０、ｅＰＲＡＣＨ／ＳｅＰＲＡＣＨ要求送信管理モジュール９３５、ＣＥＴランダムアクセス要求管理モジュール９４０、応答処理モジュール９４５、または接続セットアップ管理モジュール９５０を含み得る。
【０１１６】
[0135]いくつかの例では、ＣＣＡモジュール９４５は、無認可無線周波数スペクトル帯域へのアクセスを求めて競合し得る。いくつかの例では、ＣＣＡモジュール９４５は、たとえば、図３〜図６を参照しながら説明したように、Ｕ−ＣＣＡを実行することによって無認可無線周波数スペクトル帯域へのアクセスを求めて競合し得る。無認可無線周波数スペクトル帯域へのアクセスを求める競合に勝つと、ＣＣＡモジュール９４５により、ＵＥワイヤレス通信管理モジュール９２０は、無認可無線周波数スペクトル帯域を介してＣＵＢＳを送信することが可能になり得る。
【０１１７】
[0136]いくつかの例では、システム情報処理モジュール９５０は、ＳＩＢ中で、周波数インターレースリソースブロックへのｅＰＲＡＣＨ／ＳｅＰＲＡＣＨのリソースセットのマッピング、ｅＰＲＡＣＨ／ＳｅＰＲＡＣＨのためのトランスポートブロックサイズの指示、ｅＰＲＡＣＨ／ＳｅＰＲＡＣＨについての少なくとも１つの電力制御パラメータ、要求メッセージを送信するために利用可能な少なくとも１つのサブフレームおよびシンボルの指示、または応答メッセージの受信のための少なくとも１つの時間窓の指示のうちの少なくとも１つを受信するために使用され得る。
【０１１８】
[0137]いくつかの例では、システム情報処理モジュール９５０は、たとえば、ＳＩＢまたはｅＳＩＢ中でなど、ｅＰＲＡＣＨ／ＳｅＰＲＡＣＨの専用のリソースセットの指示を受信するために使用され得る。システム情報はまた、ｅＰＲＡＣＨ／ＳｅＰＲＡＣＨのためのトランスポートブロックサイズの指示、ｅＰＲＡＣＨ／ＳｅＰＲＡＣＨについての少なくとも１つの電力制御パラメータ、要求メッセージを送信するために利用可能な少なくとも１つのサブフレームまたはシンボルの指示、または応答メッセージの受信のための少なくとも１つの時間窓の指示を含み得る。
【０１１９】
[0138]いくつかの例では、ｅＰＲＡＣＨ／ＳｅＰＲＡＣＨ要求送信管理モジュール９３５は、ｅＰＲＡＣＨ／ＳｅＰＲＡＣＨ／ＣＥＴのリソースセットの中から、要求メッセージを送信するためのリソースセットを選択するために使用され得る。いくつかの例では、ｅＰＲＡＣＨ／ＳｅＰＲＡＣＨ要求送信管理モジュール９３５は、要求メッセージを送信するために使用され得る。要求メッセージは、無認可無線周波数スペクトル帯域で動作するセルにアクセスするために、選択されたリソースセットを使用してｅＰＲＡＣＨ／ＳｅＰＲＡＣＨ上で送信され得る。いくつかの例では、要求メッセージは、無認可無線周波数スペクトル帯域を介して送信されるスケジュールされていない要求メッセージであり得る。
【０１２０】
[0139]いくつかの例では、ｅＰＲＡＣＨ／ＳｅＰＲＡＣＨ要求送信管理モジュール９３５は、ＣＣＡモジュール９４５が無認可無線周波数スペクトル帯域へのアクセスを求める競合に勝ったときに要求メッセージを送信するために使用され得る。他の例では、ｅＰＲＡＣＨ／ＳｅＰＲＡＣＨ要求送信管理モジュール９３５は、基地局が無認可無線周波数スペクトル帯域へのアクセスを求める競合に勝ったかどうかにかかわらず要求メッセージを送信し得る。いくつかの例では、ＣＥＴランダムアクセス要求モジュール９４０は、ＣＥＴリソースを使用して送信されたランダムアクセス要求メッセージを管理するために使用され得る。
【０１２１】
[0140]いくつかの例では、応答処理モジュール９４５は、応答メッセージについて無認可無線周波数スペクトル帯域を監視し得る。いくつかの例では、監視は、少なくとも１つの接続確立時間窓のうちの少なくとも１つ中に行われ得る。ｅＰＲＡＣＨ／ＳｅＰＲＡＣＨ要求送信管理モジュール９３５を使用して送信された要求メッセージが、接続セットアップ要求を含むとき、応答処理モジュール９４０を使用して受信される応答メッセージは、チャネル競合解決指示と接続構成メッセージとを含み得る。ｅＰＲＡＣＨ／ＳｅＰＲＡＣＨ要求送信管理モジュール９３５を使用して送信された要求メッセージが、接続再確立要求を含むとき、応答処理モジュール９４０を使用して受信される応答メッセージは、チャネル競合解決指示を含み得る。いくつかの例では、応答メッセージはまた、デバイス識別子またはタイミング調整の指示を含み得る。
【０１２２】
[0141]いくつかの例では、接続セットアップ管理モジュール９５０は、接続セットアップを管理するために使用され得る。接続セットアップ管理モジュール９５０は、ｅＰＲＡＣＨ／ＳｅＰＲＡＣＨ要求送信管理モジュール９３５に、要求メッセージを送信するための競合ベースのリソースセットを選択することを行わせ、ｅＰＲＡＣＨ／ＳｅＰＲＡＣＨ要求送信管理モジュール９３５に、接続セットアップ要求を含む要求メッセージを送信することを行わせ得る。いくつかの例では、接続セットアップ管理モジュール９５０は、応答処理モジュール９４５に、応答について無認可無線周波数スペクトル帯域を監視することを行わせ得る。接続セットアップ管理モジュール９５０はまた、応答メッセージを受信したことに応答して、スケジュールされた確認メッセージを送信するために使用され得る。
【０１２３】
[0142]装置９１５のいくつかの例では、要求メッセージは、さらに、図３〜図７を参照しながら説明したように構成または送信され得、あるいは応答メッセージは、さらに、図３〜図７を参照しながら説明したように構成または受信され得る。
【０１２４】
[0143]図１０は、本開示の様々な態様による、ワイヤレス通信における使用のための装置１００５のブロック図１０００を示す。装置１００５は、図１、図２、図４、図５、または図６を参照しながら説明した基地局１０５、２０５、２０５−ａ、４０５、５０５、または６０５のうちの１つまたは複数の態様の一例であり得る。装置１００５はまた、プロセッサであるか、またはプロセッサを含み得る。装置１００５は、受信機モジュール１０１０、基地局ワイヤレス通信管理モジュール１０２０、または送信機モジュール１０３０を含み得る。これらのモジュールの各々は、互いに通信していることがある。
【０１２５】
[0144]装置１００５のモジュールは、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１２６】
[0145]いくつかの例では、受信機モジュール１０１０は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または無認可無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上で、送信を受信するように動作可能な少なくとも１つのＲＦ受信機など、少なくとも１つのＲＦ受信機を含み得る。いくつかの例では、認可無線周波数スペクトル帯域または無認可無線周波数スペクトル帯域は、たとえば、図１〜図７を参照しながら説明したように、ＬＴＥ／ＬＴＥ−Ａ通信のために使用され得る。受信機モジュール１０１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１２７】
[0146]いくつかの例では、送信機モジュール１０３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１０３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１２８】
[0147]いくつかの例では、基地局ワイヤレス通信管理モジュール１０２０は、装置１００５のためのワイヤレス通信の１つまたは複数の態様を管理するために使用され得る。いくつかの例では、基地局ワイヤレス通信管理モジュール１０２０は、ｅＰＲＡＣＨ／ＳｅＰＲＡＣＨ要求処理モジュール１０３５または応答送信管理モジュール１０４０を含み得る。
【０１２９】
[0148]いくつかの例では、ｅＰＲＡＣＨ／ＳｅＰＲＡＣＨ要求処理モジュール１０３５は、そのようなメッセージについて監視され得るリソースを介して要求メッセージを受信するために使用され得る。要求メッセージは、無認可無線周波数スペクトル帯域で動作するセル（たとえば、装置１００５を含むセル）にアクセスするために、ＵＥからｅＰＲＡＣＨ／ＳｅＰＲＡＣＨ上で受信され得る。いくつかの例では、要求メッセージは、スケジュールされていない要求メッセージであり得る。いくつかの例では、要求メッセージは、無認可無線周波数スペクトル帯域を介して受信され得る。いくつかの例では、要求メッセージは、接続セットアップ要求、接続再確立要求、バッファステータス報告、デバイス識別子、または原因値のうちの少なくとも１つを含み得る。
【０１３０】
[0149]いくつかの例では、応答送信管理モジュール１０４０は、要求メッセージを受信したことに応答して、応答メッセージを送信するために使用され得る。応答メッセージは、無認可無線周波数スペクトル帯域を介して送信され得る。いくつかの例では、応答メッセージは、接続構成メッセージ、チャネル競合解決指示、スケジュールされたアップリンク許可、デバイス識別子、またはタイミング調整の指示のうちの少なくとも１つを含み得る。
【０１３１】
[0150]装置１００５のいくつかの例では、要求メッセージは、さらに、図３〜図７を参照しながら説明したように構成または受信され得、あるいは応答メッセージは、さらに、図３〜図７を参照しながら説明したように構成または送信され得る。
【０１３２】
[0151]図１１は、本開示の様々な態様による、ワイヤレス通信における使用のための装置１１０５のブロック図１１００を示す。装置１１０５は、図１、図２、図４、図５、または図６を参照しながら説明した基地局１０５、２０５、２０５−ａ、４０５、５０５、または６０５のうちの１つまたは複数の態様、あるいは図１０を参照しながら説明した装置１００５の態様の例であり得る。装置１１０５はまた、プロセッサであるか、またはプロセッサを含み得る。装置１１０５は、受信機モジュール１１１０、基地局ワイヤレス通信管理モジュール１１２０、または送信機モジュール１１３０を含み得る。これらのモジュールの各々は互いに通信していることがある。
【０１３３】
[0152]装置１１０５のモジュールは適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１３４】
[0153]いくつかの例では、受信機モジュール１１１０は、認可無線周波数スペクトル帯域（たとえば、ＬＴＥ／ＬＴＥ−Ａ通信のために使用可能な認可無線周波数スペクトル帯域など、無線周波数スペクトル帯域が、特定の使用のために特定のユーザに認可されているので、送信装置がそれのためにアクセスを求めて競合しないことがある、無線周波数スペクトル帯域）または無認可無線周波数スペクトル帯域（たとえば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上で、送信を受信するように動作可能な少なくとも１つのＲＦ受信機など、少なくとも１つのＲＦ受信機を含み得る。いくつかの例では、認可無線周波数スペクトル帯域または無認可無線周波数スペクトル帯域は、たとえば、図１〜図７を参照しながら説明したように、ＬＴＥ／ＬＴＥ−Ａ通信のために使用され得る。受信機モジュール１１１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するためのＬＴＥ／ＬＴＥ−Ａ受信機モジュール（たとえば、認可ＲＦスペクトル帯域のためのＬＴＥ／ＬＴＥ−Ａ受信機モジュール１１１２）、および無認可無線周波数スペクトル帯域を介して通信するためのＬＴＥ／ＬＴＥ−Ａ受信機モジュール（たとえば、無認可ＲＦスペクトル帯域のためのＬＴＥ／ＬＴＥ−Ａ受信機モジュール１１１４）の形態をとり得る。認可ＲＦスペクトル帯域のためのＬＴＥ／ＬＴＥ−Ａ受信機モジュール１１１２または無認可ＲＦスペクトル帯域のためのＬＴＥ／ＬＴＥ−Ａ受信機モジュール１１１４を含む受信機モジュール１１１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１３５】
[0154]いくつかの例では、送信機モジュール１１３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１１３０は、場合によっては、認可無線周波数スペクトル帯域および無認可無線周波数スペクトル帯域のための別個の送信機を含み得る。別個の送信機は、いくつかの例では、認可無線周波数スペクトル帯域を通じて通信するためのＬＴＥ／ＬＴＥ−Ａ送信機モジュール（たとえば、認可ＲＦスペクトル帯域のためのＬＴＥ／ＬＴＥ−Ａ送信機モジュール１１３２）、および無認可無線周波数スペクトル帯域を介して通信するためのＬＴＥ／ＬＴＥ−Ａ送信機モジュール（たとえば、無認可ＲＦスペクトル帯域のためのＬＴＥ／ＬＴＥ−Ａ送信機モジュール１１３４）の形態をとり得る。認可ＲＦスペクトル帯域のためのＬＴＥ／ＬＴＥ−Ａ送信機モジュール１１３２または無認可ＲＦスペクトル帯域のためのＬＴＥ／ＬＴＥ−Ａ送信機モジュール１１３４を含む送信機モジュール１１３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１３６】
[0155]いくつかの例では、基地局ワイヤレス通信管理モジュール１１２０は、装置１１０５のためのワイヤレス通信の１つまたは複数の態様を管理するために使用され得る。いくつかの例では、基地局ワイヤレス通信管理モジュール１１２０は、ＣＣＡモジュール１１４５、システム情報送信管理モジュール１１５０、ｅＰＲＡＣＨ／ＳｅＰＲＡＣＨ要求処理モジュール１１３５、チャネル競合解決モジュール１１５５、応答送信管理モジュール１１４０、接続セットアップ管理モジュール１１６０、またはＣＥＴ要求処理モジュール１１６５を含み得る。
【０１３７】
[0156]いくつかの例では、ＣＣＡモジュール１１４５は、無認可無線周波数スペクトル帯域へのアクセスを求めて競合し得る。いくつかの例では、ＣＣＡモジュール１１４５は、たとえば、図３〜図６を参照しながら説明したように、Ｄ−ＣＣＡを実行することによって無認可無線周波数スペクトル帯域へのアクセスを求めて競合し得る。無認可無線周波数スペクトル帯域へのアクセスを求める競合に勝つと、ＣＣＡモジュール１１４５により、基地局ワイヤレス通信管理モジュール１１２０は、無認可無線周波数スペクトル帯域を介してＣＵＢＳを送信することが可能になり得る。
【０１３８】
[0157]いくつかの例では、システム情報送信管理モジュール１１５０は、ＳＩＢ中で、周波数インターレースリソースブロックへのｅＰＲＡＣＨ／ＳｅＰＲＡＣＨのリソースセットのマッピング、ｅＰＲＡＣＨ／ＳｅＰＲＡＣＨのための少なくとも１つの電力制御パラメータ、または要求メッセージの送信のために使用され得る少なくとも１つのサブフレームまたはシンボル。いくつかの例では、ｅＰＲＡＣＨ／ＳｅＰＲＡＣＨのリソースセットはまた、少なくとも１つの専用のリソースセットを含み得る。
【０１３９】
[0158]いくつかの例では、システム情報送信管理モジュール１１５０は、たとえば、ＳＩＢまたはｅＳＩＢ中でなど、ｅＰＲＡＣＨ／ＳｅＰＲＡＣＨの専用のリソースセットの指示を送信するために使用され得る。システム情報はまた、ｅＰＲＡＣＨ／ＳｅＰＲＡＣＨのためのトランスポートブロックサイズの指示、ｅＰＲＡＣＨ／ＳｅＰＲＡＣＨについての少なくとも１つの電力制御パラメータ、または要求メッセージを送信するために利用可能な少なくとも１つのサブフレームまたはシンボルの指示を含み得る。
【０１４０】
[0159]いくつかの例では、ｅＰＲＡＣＨ／ＳｅＰＲＡＣＨ要求処理モジュール１１３５は、１つまたは複数の要求メッセージを受信するために使用され得る。要求メッセージの各々は、無認可無線周波数スペクトル帯域で動作するセル（たとえば、装置１１０５を含むセル）にアクセスするために、それぞれのＵＥからｅＰＲＡＣＨ／ＳｅＰＲＡＣＨ上で受信され得る。いくつかの例では、要求メッセージは、スケジュールされていない要求メッセージであり得る。いくつかの例では、要求メッセージは、無認可無線周波数スペクトル帯域を介して受信され得る。
【０１４１】
[0160]いくつかの例では、チャネル競合解決モジュール１１５５は、要求メッセージがｅＰＲＡＣＨ／ＳｅＰＲＡＣＨ上で受信された複数のＵＥの間のチャネル競合を解決するために使用され得る。
【０１４２】
[0161]いくつかの例では、応答送信管理モジュール１１４０は、要求メッセージを受信したことに応答して、応答メッセージを送信するために使用され得る。応答メッセージは、無認可無線周波数スペクトル帯域を介して送信され得る。ｅＰＲＡＣＨ／ＳｅＰＲＡＣＨ要求処理モジュール１１３５を使用して、またはＣＥＴ要求処理モジュール１１６５を使用して受信された要求メッセージが、接続セットアップ要求を含むとき、応答送信管理モジュール１１４０を使用して送信される応答メッセージは、チャネル競合解決指示と接続構成メッセージとを含み得る。ｅＰＲＡＣＨ／ＳｅＰＲＡＣＨ要求処理モジュール１１３５を使用して受信された要求メッセージが、接続再確立要求を含むとき、応答送信管理モジュール１１４０を使用して送信される応答メッセージは、チャネル競合解決指示を含み得る。いくつかの例では、応答メッセージはまた、デバイス識別子またはタイミング調整の指示を含み得る。
【０１４３】
[0162]いくつかの例では、応答送信管理モジュール１１４０は、ＣＣＡモジュール１１４５が無認可無線周波数スペクトル帯域へのアクセスを求める競合に勝った後に応答メッセージを送信するために使用され得る。
【０１４４】
[0163]いくつかの例では、接続セットアップ管理モジュール１１６０は、接続セットアップを管理するために使用され得る。接続セットアップ管理モジュール１１６０は、応答送信管理モジュール１１４０に、ｅＰＲＡＣＨ／ＳｅＰＲＡＣＨ要求処理モジュール１１３５またはＣＥＴ要求処理モジュール１１６５が接続セットアップ要求を受信したことに応答して応答メッセージを送信することを行わせ得る。ＣＥＴ要求処理モジュール１１６５は、ＣＥＴを介して送られた１つまたは複数の要求メッセージを受信するために使用され得る。
【０１４５】
[0164]装置１１０５のいくつかの例では、要求メッセージは、さらに、図３〜図７を参照しながら説明したように構成または受信され得、あるいは応答メッセージは、さらに、図３〜図７を参照しながら説明したように構成または送信され得る。
【０１４６】
[0165]図１２に、本開示の様々な態様による、ワイヤレス通信において使用するためのＵＥ１２１５のブロック図１２００を示す。ＵＥ１２１５は、様々な構成を有し得、含まれ得るか、または、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ１２１５は、いくつかの例では、モバイル動作を容易にするために、小型バッテリーなどの内部電源（図示されず）を有し得る。いくつかの例では、ＵＥ１２１５は、図１、図２、図４、図５、または図６を参照しながら説明したＵＥ１１５、２１５、２１５−ａ、２１５−ｂ、２１５−ｃ、４１５、５１５、または６１５のうちの１つまたは複数の態様、あるいは図８または図９を参照しながら説明した装置８１５または９１５のうちの１つまたは複数の態様の一例であり得る。ＵＥ１２１５は、図１〜図９を参照しながら説明したＵＥまたは装置の特徴および機能のうちの少なくともいくつかを実装するように構成され得る。
【０１４７】
[0166]ＵＥ１２１５は、ＵＥプロセッサモジュール１２１０、ＵＥメモリモジュール１２２０、（ＵＥトランシーバモジュール１２３０によって表される）少なくとも１つのＵＥトランシーバモジュール、（ＵＥアンテナ１２４０によって表される）少なくとも１つのＵＥアンテナ、またはＵＥワイヤレス通信管理モジュール１２６０を含み得る。これらの構成要素の各々は、１つまたは複数のバス１２３５を介して、直接または間接的に互いに通信していることがある。
【０１４８】
[0167]ＵＥメモリモジュール１２２０は、ランダムアクセスメモリ（ＲＡＭ）または読取り専用メモリ（ＲＯＭ）を含み得る。ＵＥメモリモジュール１２２０は、実行されたとき、ＵＥプロセッサモジュール１２１０に、無認可無線周波数スペクトル帯域で動作するセルにアクセスするためのｅＰＲＡＣＨ上での要求メッセージの送信を含み、無認可無線周波数スペクトル帯域を介した応答メッセージの受信を含む、ワイヤレス通信に関係する本明細書で説明する様々な機能を実行することを行わせるように構成された命令を含むコンピュータ可読、コンピュータ実行可能コード１２２５を記憶し得る。代替的に、コード１２２５は、ＵＥプロセッサモジュール１２１０によって直接的に実行可能ではないことがあるが、（たとえば、コンパイルされ実行されると）本明細書で説明される様々な機能をＵＥ１２１５に実行させるように構成され得る。
【０１４９】
[0168]ＵＥプロセッサモジュール１２１０は、インテリジェントハードウェアデバイス、たとえば、中央処理装置（ＣＰＵ）、マイクロコントローラ、ＡＳＩＣなどを含み得る。ＵＥプロセッサモジュール１２１０は、ＵＥトランシーバモジュール１２３０を通して受信された情報、またはＵＥアンテナ１２４０を通して送信用にＵＥトランシーバモジュール１２３０に送られるべき情報を処理し得る。ＵＥプロセッサモジュール１２１０は、単独でまたはＵＥワイヤレス通信管理モジュール１２６０とともに、認可無線周波数スペクトル帯域（たとえば、無線周波数スペクトル帯域が、ＬＴＥ／ＬＴＥ−Ａ通信のために使用可能な認可無線周波数スペクトル帯域など、特定の用途のために特定のユーザに認可されているので、装置がアクセスを求めて競合しない無線周波数スペクトル帯域）、または無認可無線周波数スペクトル帯域（たとえば、無線周波数スペクトル帯域が、Ｗｉ−Ｆｉ用途などの無認可用途に利用可能であるので、装置がアクセスを求めて競合する必要があり得る無線周波数スペクトル帯域）を介して通信すること（あるいはその帯域を介した通信を管理すること）の様々な態様を扱い得る。
【０１５０】
[0169]ＵＥトランシーバモジュール１２３０は、パケットを変調し、被変調パケットを送信のためにＵＥアンテナ１６４０に提供し、ＵＥアンテナ１２４０から受信されたパケットを復調するように構成されたモデムを含み得る。ＵＥトランシーバモジュール１２３０は、いくつかの例では、１つまたは複数のＵＥ送信機モジュールおよび１つまたは複数の別個のＵＥ受信機モジュールとして実装され得る。ＵＥトランシーバモジュール１２３０は、認可無線周波数スペクトル帯域または無認可無線周波数スペクトル帯域における通信をサポートし得る。ＵＥトランシーバモジュール１２３０は、図１、図２、図４、図５、または図６を参照しながら説明した基地局１０５、２０５、２０５−ａ、４０５、５０５、または６０５、あるいは図１０または図１１を参照しながら説明した装置１００５または１１０５のうちの１つまたは複数と、ＵＥアンテナ１２４０を介して双方向に通信するように構成され得る。ＵＥ１２１５は単一のＵＥアンテナを含み得るが、ＵＥ１２１５が複数のＵＥアンテナ１２４０を含み得る例があり得る。
【０１５１】
[0170]ＵＥ状態モジュール１２５０は、たとえば、ＲＲＣアイドル状態とＲＲＣ接続状態との間のＵＥ１２１５の遷移を管理するために使用され得、１つまたは複数のバス１２３５を介して、直接または間接的に、ＵＥ１２１５の他の構成要素と通信していることがある。ＵＥ状態モジュール１２５０またはそれの部分は、プロセッサを含み得、あるいはＵＥ状態モジュール１２５０の機能の一部または全部は、ＵＥプロセッサモジュール１２１０によってまたはＵＥプロセッサモジュール１２１０とともに実行され得る。
【０１５２】
[0171]ＵＥワイヤレス通信管理モジュール１２６０は、認可無線周波数スペクトル帯域または無認可無線周波数スペクトル帯域を介したワイヤレス通信に関係する図１〜図９を参照しながら説明したＵＥまたは装置の特徴または機能の一部または全部を実行または制御するように構成され得る。たとえば、ＵＥワイヤレス通信管理モジュール１２６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。ＵＥワイヤレス通信管理モジュール１２６０は、認可無線周波数スペクトル帯域におけるＬＴＥ／ＬＴＥ−Ａ通信を扱うように構成された認可ＲＦスペクトル帯域のためのＵＥ  ＬＴＥ／ＬＴＥ−Ａモジュール１２６５と、無認可無線周波数スペクトル帯域におけるＬＴＥ／ＬＴＥ−Ａ通信を扱うように構成された無認可ＲＦスペクトル帯域のためのＵＥ  ＬＴＥ／ＬＴＥ−Ａモジュール１２７０とを含み得る。ＵＥワイヤレス通信管理モジュール１２６０またはそれの部分は、プロセッサを含み得、あるいはＵＥワイヤレス通信管理モジュール１２６０の機能の一部または全部は、ＵＥプロセッサモジュール１２１０によってまたはＵＥプロセッサモジュール１２１０とともに実行され得る。いくつかの例では、ＵＥワイヤレス通信管理モジュール１２６０は、図８または図９を参照しながら説明したＵＥワイヤレス通信管理モジュール８２０または９２０の一例であり得る。
【０１５３】
[0172]図１３に、本開示の様々な態様による、ワイヤレス通信において使用するための基地局１３０５（たとえば、ｅＮＢの一部または全部を形成する基地局）のブロック図１３００を示す。いくつかの例では、装置１３０５は、図１、図２、図４、図５、または図６を参照しながら説明した基地局１０５、２０５、２０５−ａ、４０５、５０５、または６０５の１つまたは複数の態様、あるいは図１０または図１１を参照しながら説明した装置１００５または１１０５の態様の一例であり得る。基地局１３０５は、図１、図７、図１０または図１１を参照しながら説明した基地局の特徴および機能の少なくとも一部を実装または支援するように構成され得る。
【０１５４】
[0173]基地局１３０５は、基地局プロセッサモジュール１３１０、基地局メモリモジュール１３２０、（基地局トランシーバモジュール１３５０によって表される）少なくとも１つの基地局トランシーバモジュール、（基地局アンテナ１３５５によって表される）少なくとも１つの基地局アンテナ、または基地局ワイヤレス通信管理モジュール１３６０を含み得る。基地局１３０５はまた、基地局通信モジュール１３３０またはネットワーク通信モジュール１３４０のうちの１つまたは複数を含み得る。これらの構成要素の各々は、１つまたは複数のバス１３３５を介して、直接または間接的に互いに通信していることがある。
【０１５５】
[0174]基地局メモリモジュール１３２０はＲＡＭまたはＲＯＭを含み得る。基地局メモリモジュール１３２０は、実行されたとき、基地局プロセッサモジュール１３１０に、無認可無線周波数スペクトル帯域で動作するセルにアクセスするためのｅＰＲＡＣＨ／ＳｅＰＲＡＣＨ上でのいくつかのＵＥの各々からの要求メッセージの受信を含み、無認可無線周波数スペクトル帯域を介した応答メッセージの送信を含む、ワイヤレス通信に関係する本明細書で説明する様々な機能を実行することを行わせるように構成された命令を含むコンピュータ可読、コンピュータ実行可能コード１３２５を記憶し得る。代替的に、コード１３２５は、基地局プロセッサモジュール１３１０によって直接的に実行可能ではないことがあるが、（たとえば、コンパイルされ実行されると）本明細書で説明される様々な機能を基地局１３０５に実行させるように構成され得る。
【０１５６】
[0175]基地局プロセッサモジュール１３１０は、インテリジェントハードウェアデバイス、たとえば、ＣＰＵ、マイクロコントローラ、ＡＳＩＣなどを含み得る。基地局プロセッサモジュール１３１０は、基地局トランシーバモジュール１３５０、基地局通信モジュール１３３０、またはネットワーク通信モジュール１３４０を通して受信された情報を処理し得る。基地局プロセッサモジュール１３１０はまた、アンテナ１３５５を通した送信のためにトランシーバモジュール１３５０に送られるべき情報、１つまたは複数の他の基地局１３０５−ａおよび１３０５−ｂへの送信のために基地局通信モジュール１３３０に送られるべき情報、または図１に関して説明したコアネットワーク１３０の１つまたは複数の態様の一例であり得る、コアネットワーク１７４５への送信のためにネットワーク通信モジュール１３４０に送られるべき情報を処理し得る。基地局プロセッサモジュール１３１０は、単独でまたは基地局ワイヤレス通信管理モジュール１３６０とともに、認可無線周波数スペクトル帯域（たとえば、無線周波数スペクトル帯域が、ＬＴＥ／ＬＴＥ−Ａ通信のために使用可能な認可無線周波数スペクトル帯域など、特定の用途のために特定のユーザに認可されているので、装置がアクセスを求めて競合しない無線周波数スペクトル帯域）、または無認可無線周波数スペクトル帯域（たとえば、無線周波数スペクトル帯域が、Ｗｉ−Ｆｉ用途などの無認可用途に利用可能であるので、装置がアクセスを求めて競合する必要があり得る無線周波数スペクトル帯域）を介して通信すること（あるいはその帯域を介した通信を管理すること）の様々な態様を扱い得る。
【０１５７】
[0176]基地局トランシーバモジュール１３５０は、パケットを変調し、被変調パケットを送信のために基地局アンテナ１３５５に提供し、基地局アンテナ１３５５から受信されたパケットを復調するように構成されたモデムを含み得る。基地局トランシーバモジュール１３５０は、いくつかの例では、１つまたは複数の基地局送信機モジュールおよび１つまたは複数の別個の基地局受信機モジュールとして実装され得る。基地局トランシーバモジュール１３５０は、認可無線周波数スペクトル帯域または無認可無線周波数スペクトル帯域における通信をサポートし得る。基地局トランシーバモジュール１３５０は、たとえば、図１、図２、図４、図５、図６、または図１２に関して説明したＵＥ１１５、２１５、２１５−ａ、２１５−ｂ、２１５−ｃ、４１５、５１５、６１５、または１２１５のうちの１つまたは複数、あるいは図８または図９を参照しながら説明した装置８０５または９０５のうちの１つまたは複数など、１つまたは複数のＵＥまたは装置と、アンテナ１３５５を介して双方向に通信するように構成され得る。基地局１３０５は、たとえば、複数の基地局アンテナ１３５５（たとえば、アンテナアレイ）を含み得る。基地局１３０５は、ネットワーク通信モジュール１３４０を通してコアネットワーク１３４５と通信し得る。基地局１３０５はまた、基地局通信モジュール１３３０を使用して、基地局１３０５−ａおよび１３０５−ｂなどの他の基地局と通信し得る。
【０１５８】
[0177]基地局ワイヤレス通信管理モジュール１３６０は、認可無線周波数スペクトル帯域または無認可無線周波数スペクトル帯域を介したワイヤレス通信に関係する図１または、図１０〜図１１を参照しながら説明した特徴または機能の一部または全部を実行または制御するように構成され得る。たとえば、基地局ワイヤレス通信管理モジュール１３６０は、認可無線周波数スペクトル帯域または無認可無線周波数スペクトル帯域を使用して、補助ダウンリンクモード、キャリアアグリゲーションモード、またはスタンドアロンモードをサポートするように構成され得る。基地局ワイヤレス通信管理モジュール１３６０は、認可無線周波数スペクトル帯域におけるＬＴＥ／ＬＴＥ−Ａ通信を扱うように構成された認可ＲＦスペクトル帯域のための基地局ＬＴＥ／ＬＴＥ−Ａモジュール１３６５と、無認可無線周波数スペクトル帯域におけるＬＴＥ／ＬＴＥ−Ａ通信を扱うように構成された無認可ＲＦスペクトル帯域のための基地局ＬＴＥ／ＬＴＥ−Ａモジュール１３７０とを含み得る。基地局ワイヤレス通信管理モジュール１３６０、またはそれの部分はプロセッサを含み得、あるいは基地局ワイヤレス通信管理モジュール１３６０の機能の一部または全部は、基地局プロセッサモジュール１３１０によって実行されるか、または基地局プロセッサモジュール１３１０とともに実行され得る。いくつかの例では、基地局ワイヤレス通信管理モジュール１３６０は、図１０または図１１を参照しながら説明した基地局ワイヤレス通信管理モジュール１０２０または１１２０の一例であり得る。
【０１５９】
[0178]図１４は、本開示の様々な態様による、基地局１４０５とＵＥ１４１５とを含む多入力多出力（ＭＩＭＯ）通信システム１４００のブロック図である。ＭＩＭＯ通信システム１４００は、図１または図２を参照しながら説明した、ワイヤレス通信システム１００または２００の態様を示し得る。基地局１４０５は、図１、図２、図４、図５、図６、または図１３を参照しながら説明した基地局１０５、２０５、２０５−ａ、４０５、５０５、６０５、または１３０５の態様、あるいは図１０または図１１を参照しながら説明した装置１００５または１１０５の態様の一例であり得る。基地局１４０５はアンテナ１４３４〜１４３５を装備し得、ＵＥ１４１５はアンテナ１４５２〜１４５３を装備し得る。ＭＩＭＯ通信システム１４００では、基地局１４０５は、同時に複数の通信リンクを通じてデータを送ることが可能であり得る。各通信リンクは「レイヤ」と呼ばれることがあり、通信リンクの「ランク」は、通信のために使用されるレイヤの数を示し得る。たとえば、基地局１４０５が２つの「レイヤ」を送信する２×２ＭＩＭＯ通信システムでは、基地局１４０５とＵＥ１４１５との間の通信リンクのランクは２である。
【０１６０】
[0179]基地局１４０５において、送信プロセッサ１４２０がデータソースからデータを受信し得る。送信プロセッサ１４２０はデータを処理し得る。送信プロセッサ１４２０はまた、制御シンボルまたは基準シンボルを生成し得る。送信（ＴＸ）ＭＩＭＯプロセッサ１４３０が、適用可能な場合、データシンボル、制御シンボル、または基準シンボルに対して空間処理（たとえば、プリコーディング）を実行し得、出力シンボルストリームを送信変調器１４３２〜１４３３に与え得る。各変調器１４３２〜１４３３は、出力サンプルストリームを取得するために、（たとえば、ＯＦＤＭなどのために）それぞれの出力シンボルストリームを処理し得る。各変調器１４３２〜１４３３はさらに、ＤＬ信号を取得するために、出力サンプルストリームを処理（たとえば、アナログへの変換、増幅、フィルタ処理、およびアップコンバート）し得る。一例では、変調器１４３２〜１４３３からのＤＬ信号は、それぞれアンテナ１４３４〜１４３５を介して送信され得る。
【０１６１】
[0180]ＵＥ１４１５は、図１、図２、図４、図５、図６、または図１２を参照しながら説明したＵＥ１１５、２１５、２１５−ａ、２１５−ｂ、２１５−ｃ、４１５、５１５、６１５、または１２１５の態様、あるいは図８または図９を参照しながら説明した装置８１５または９１５の態様の一例であり得る。ＵＥ１４１５において、ＵＥアンテナ１４５２〜１４５３は、基地局１４０５からＤＬ信号を受信し得、受信信号をそれぞれ復調器１４５４〜１４５５に与え得る。各復調器１４５４〜１４５５は、入力サンプルを取得するために、それぞれの受信信号を調整（たとえば、フィルタ処理、増幅、ダウンコンバート、およびデジタル化）し得る。各復調器１４５４〜１４５５はさらに、受信シンボルを取得するために、（たとえば、ＯＦＤＭなどのために）入力サンプルを処理し得る。ＭＩＭＯ検出器１４５６が、すべての復調器１４５４〜１４５５から受信シンボルを取得し、適用可能な場合は受信シンボルに対してＭＩＭＯ検出を実行し、検出されたシンボルを与え得る。受信プロセッサ１４５８が、検出されたシンボルを処理（たとえば、復調、デインターリーブ、および復号）し、ＵＥ１４１５のための復号されたデータをデータ出力に与え、復号された制御情報をプロセッサ１４８０、またはメモリ１４８２に与え得る。
【０１６２】
[0181]プロセッサ１４８０は、場合によっては、ＵＥワイヤレス通信管理モジュール１４８４をインスタンス化するための記憶された命令を実行し得る。ＵＥワイヤレス通信管理モジュール１４８４は、図８、図９、または図１２を参照しながら説明したＵＥワイヤレス通信管理モジュール８２０、９２０、または１２６０の態様の一例であり得る。
【０１６３】
[0182]アップリンク上で、ＵＥ１４１５において、送信プロセッサ１４６４は、データソースからデータを受信し、処理し得る。送信プロセッサ１４６４はまた、基準信号のための基準シンボルを生成し得る。送信プロセッサ１４６４からのシンボルは、適用可能な場合は送信ＭＩＭＯプロセッサ１４６６によってプリコードされ、さらに（たとえば、ＳＣ−ＦＤＭＡなどのために）変調器１４５４〜１４５５によって処理され、基地局１４０５から受信された送信パラメータに従って基地局１４０５に送信され得る。基地局１４０５において、ＵＥ１４１５からのＵＬ信号がアンテナ１４３４〜１４３５によって受信され、復調器１４３２〜１４３３によって処理され、適用可能な場合はＭＩＭＯ検出器１４３６によって検出され、受信プロセッサ１４３８によってさらに処理され得る。受信プロセッサ１４３８は、復号されたデータをデータ出力とプロセッサ１４４０またはメモリ１４４２とに与え得る。
【０１６４】
[0183]プロセッサ１４４０は、場合によっては、基地局ワイヤレス通信管理モジュール１４８６をインスタンス化するための記憶された命令を実行し得る。基地局ワイヤレス通信管理モジュール１４８６は、図１０、図１１、または図１３を参照しながら説明した基地局ワイヤレス通信管理モジュール１０２０、１１２０、または１３６０の態様の一例であり得る。
【０１６５】
[0184]ＵＥ１４１５の構成要素は、適用可能な機能の一部または全部をハードウェアで実行するように適応された１つまたは複数のＡＳＩＣを用いて、個々にまたはまとめて実装され得る。言及されたモジュールの各々は、ＭＩＭＯ通信システム１４００の動作に関係する１つまたは複数の機能を実行するための手段であり得る。同様に、基地局１４０５の構成要素は、適用可能な機能の一部または全部をハードウェアで実行するように適応された１つまたは複数のＡＳＩＣを用いて、個別にまたはまとめて実装され得る。言及された構成要素の各々は、ＭＩＭＯ通信システム１４００の動作に関係する１つまたは複数の機能を実行するための手段であり得る。
【０１６６】
[0185]図１５は、本開示の様々な態様による、ワイヤレス通信のための例示的なオブア方法１５００を示すフローチャートである。明快のために、方法１５００について、図１、図２、図４、図５、図６、図１３、または図１４を参照しながら説明したＵＥ１１５、２１５、２１５−ａ、２１５−ｂ、２１５−ｃ、４１５、５１５、６１５、１３１５または１４１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１６７】
[0186]ブロック１５０５において、方法１５００は、無認可無線周波数スペクトル帯域へのアクセスのための要求メッセージの送信のために利用可能な無線フレーム内のサブフレームを決定することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。ブロック１５０５における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１６８】
[0187]ブロック１５１０において、方法１５００は、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別することを含み得る。ブロック１５１０における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１６９】
[0188]ブロック１５１５において、方法１５００は、シンボルの第１のサブセット中に競合ベースのアクセス手順を実行することを含み得る。ブロック１５１５における動作は、図８、図９、図１２、または図１４を参照しながら説明したＵＥワイヤレス通信管理モジュール８２０、９２０、１２６０、または１４８４、あるいは図９のＣＣＡモジュール９４５を使用して実行され得る。
【０１７０】
[0189]ブロック１５２０において、方法１５００は、競合ベースのアクセス手順の結果に基づいてシンボルの第２のサブセット中に要求メッセージを送信することを含み得る。ブロック１５２０における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０１７１】
[0190]方法１５００のいくつかの例では、要求メッセージは、さらに、図３〜図７を参照しながら説明したように構成または送信され得、あるいは応答メッセージは、さらに、図３〜図７を参照しながら説明したように構成または受信され得る。
【０１７２】
[0191]このようにして、方法１５００はワイヤレス通信を提供し得る。方法１５００が一実装形態にすぎないこと、および方法１５００の動作は、他の実装形態が可能であるように再構成され得るかまたは別の方法で修正され得ることに留意されたい。
【０１７３】
[0192]図１６は、本開示の様々な態様による、ワイヤレス通信のための例示的なオブア方法１６００を示すフローチャートである。明快のために、方法１６００について、図１、図２、図４、図５、図６、図１３、または図１４を参照しながら説明したＵＥ１１５、２１５、２１５−ａ、２１５−ｂ、２１５−ｃ、４１５、５１５、６１５、１３１５、または１４１５のうちの１つまたは複数の態様、あるいは図８または図９を参照しながら説明した装置８１５または９１５のうちの１つまたは複数の態様に関して以下で説明する。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１７４】
[0193]ブロック１６０５において、方法１６００は、システム情報ブロック中で、少なくとも１つのサブフレームと、ランダムアクセス手順における使用のためのシンボルの第１のサブセットとの指示を受信することを含み得る。ブロック１６０５における動作は、図８、図９、図１２、または図１４を参照しながら説明したＵＥワイヤレス通信管理モジュール８２０、９２０、１２６０、または１４８４、あるいは図９を参照しながら説明したモジュール９５０を使用して実行され得る。
【０１７５】
[0194]ブロック１６１０において、方法１６００は、無認可無線周波数スペクトル帯域が指示されたサブフレーム中に別のノードによって占有されないと決定することを含み得る。ブロック１６１０における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１７６】
[0195]ブロック１６１５において、方法１６００は、シンボルの第１のサブセット中に競合ベースのアクセス手順を実行することを含み得る。ブロック１６１５における動作は、図８、図９、図１２、または図１４を参照しながら説明したＵＥワイヤレス通信管理モジュール８２０、９２０、１２６０、または１４８４、あるいは図９のＣＣＡモジュール９４５を使用して実行され得る。
【０１７７】
[0196]ブロック１６２０において、方法１６００は、シンボルの第１のサブセット中に競合ベースのアクセス手順を実行しながら、別のノードが無認可無線周波数スペクトル帯域の占有を示したかどうかを決定することを含み得る。ブロック１６２０における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０１７８】
[0197]ブロック１６２５において、方法１６００は、競合ベースのアクセス手順の結果と別のノードが無認可無線周波数スペクトル帯域の占有を示したかどうかの決定とに基づいてシンボルの第２のサブセット中に要求メッセージを送信することを含み得る。ブロック１６２５における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０１７９】
[0198]方法１６００のいくつかの例では、要求メッセージは、さらに、図３〜図７を参照しながら説明したように構成または送信され得、あるいは応答メッセージは、さらに、図３〜図７を参照しながら説明したように構成または受信され得る。
【０１８０】
[0199]このようにして、方法１６００はワイヤレス通信を提供し得る。方法１６００は一実装形態にすぎず、方法１６００の動作は、他の実装形態が可能であるように再構成されるか、または場合によっては修正され得ることに留意されたい。
【０１８１】
[0200]図１７は、本開示の様々な態様による、ワイヤレス通信のための例示的なオブア方法１７００のを示すフローチャートである。明快のために、方法２１００について、図１、図２、図４、図５、図６、図１３、または図１４を参照しながら説明したＵＥ１１５、２１５、２１５−ａ、２１５−ｂ、２１５−ｃ、４１５、５１５、６１５、１３１５、または１４１５のうちの１つまたは複数の態様、あるいは図８または図９を参照しながら説明した装置８１５または９１５のうちの１つまたは複数の態様に関して以下で説明する。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１８２】
[0201]ブロック１７０５において、方法１７００は、無認可無線周波数スペクトル帯域へのアクセスのための要求メッセージの送信のために利用可能な無線フレーム内のサブフレームを決定することを含み得る。ブロック１７０５における動作は、図８、図９、図１２、または図１４を参照しながら説明したＵＥワイヤレス通信管理モジュール８２０、９２０、１２６０、または１４８４、あるいは、図９を参照しながら説明したシステム情報処理モジュール９５０を使用して実行され得る。
【０１８３】
[0202]ブロック１７１０において、方法１７００は、無認可無線周波数スペクトル帯域へのアクセスを獲得するための競合ベースのアクセス手順を実行するためのサブフレーム内のシンボルの第１のサブセットと、無認可無線周波数スペクトル帯域へのアクセスのための要求メッセージの送信のためのサブフレーム内のシンボルの第２のサブセットとを識別することを含み得る。ブロック１７１０における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１８４】
[0203]ブロック１７１５において、方法１７００は、１つまたは複数の他のリソースが要求メッセージの送信のために利用可能であると決定することを含み得る。ブロック１７１５における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１８５】
[0204]ブロック１７２０において、方法１７００は、利用可能なリソースの優先度付けに少なくとも部分的に基づいて要求メッセージの送信のための利用可能なリソースのうちの１つを選択することを含み得る。ブロック１７２０における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０１８６】
[0205]方法１７００のいくつかの例では、要求メッセージは、さらに、図３〜図７を参照しながら説明したように構成または送信され得、あるいは応答メッセージは、さらに、図３〜図７を参照しながら説明したように構成または受信され得る。
【０１８７】
[0206]このようにして、方法１７００はワイヤレス通信を提供し得る。方法１７００は一実装形態にすぎず、方法１７００の動作は、他の実装形態が可能であるように再構成されるか、または場合によっては修正され得ることに留意されたい。
【０１８８】
[0207]図１８は、本開示の様々な態様による、ワイヤレス通信のための例示的な方法１８００を示すフローチャートである。明快のために、方法１８００について、図１、図２、図４、図５、図６、図１３、または図１４を参照しながら説明した基地局１０５、２０５、２０５−ａ、２０５−ｂ、２０５−ｃ、４０５、５０５、６０５、１３０５、または１４０５のうちの１つまたは複数の態様、あるいは図１１または図１２を参照しながら説明した装置１００５または１１０５のうちの１つまたは複数の態様に関して以下で説明する。いくつかの例では、基地局または装置は、以下で説明する機能を実施するように基地局または装置の機能要素を制御するためのコードの１つまたは複数のセットを実行し得る。追加または代替として、基地局または装置は、専用ハードウェアを使用して以下で説明される機能のうちの１つまたは複数を実行し得る。
【０１８９】
[0208]ブロック１８０５において、方法１８００は、ＵＥによる無認可無線周波数スペクトル帯域へのアクセスのための要求メッセージの受信のための１つまたは複数の無線フレーム内の１つまたは複数のサブフレームを識別することを含み得る。ブロック１８０５における動作は、図１０、図１１、図１３、または図１４を参照しながら説明した基地局ワイヤレス通信管理モジュール１０２０、１１２０、１３６０、または１４８６、あるいは、図１１を参照しながら説明したシステム情報処理モジュール１２５０またはシステム情報送信管理モジュール１１５０を使用して実行され得る。
【０１９０】
[0209]ブロック１８１０において、方法１８００は、無認可無線周波数スペクトル帯域へのアクセスのための要求メッセージの受信のための識別された１つまたは複数のサブフレーム内のシンボルのサブセットを識別することを含み得る。ブロック１８１０における動作は、図１０、図１１、図１３、または図１４を参照しながら説明した基地局ワイヤレス通信管理モジュール１０２０、１１２０、１３６０、または１４８６、あるいは図１０または図１１を参照しながら説明した基地局ｅＰＲＡＣＨ／ＳｅＰＲＡＣＨ要求送信管理モジュール１０３５または１１３５を使用して実行され得る。
【０１９１】
[0210]随意のブロック１８１５において、方法１８００は、ＵＥに識別された１つまたは複数のサブフレームと、シンボルの第１のサブセットと、シンボルの第２のサブセットとの指示を送信することを含み得る。ブロック１８１５における動作は、図１０、図１１、図１３、または図１４を参照しながら説明した基地局ワイヤレスモジュール１０２０、１１２０、１３６０、または１４８６、あるいは図１１を参照しながら説明したシステム情報送信管理モジュール１１５０を使用して実行され得る。
【０１９２】
[0211]いくつかの例では、方法１８００は、ブロック１８３０において応答メッセージを受信する前にブロック１８２０において送信することを繰り返すことを含み得る。
【０１９３】
[0212]いくつかの例では、方法１８００は、ブロック１８１０において、無認可無線周波数スペクトル帯域へのアクセスを求める競合に勝つことなしに実行され得る。これらの例では、要求メッセージは、事前構成されたＵＬ  ＣＥＴオケージョン中に送信され得る。
【０１９４】
[0213]方法１８００のいくつかの例では、要求メッセージは、さらに、図５、図７、または図１１を参照しながら説明したように構成または送信され得、あるいは応答メッセージは、さらに、図５、図７、または図１１を参照しながら説明したように構成または受信され得る。
【０１９５】
[0214]このようにして、方法１８００はワイヤレス通信を提供し得る。方法１８００は一実装形態にすぎず、方法１８００の動作は、他の実装形態が可能であるように再構成されるか、または場合によっては修正され得ることに留意されたい。
【０１９６】
[0215]図１９は、本開示の様々な態様による、ワイヤレス通信のための例示的なオブア方法１９００を示すフローチャートである。明快のために、方法１９００について、図１、図２、図４、図５、図６、図１３、または図１４を参照しながら説明したＵＥ１１５、２１５、２１５−ａ、２１５−ｂ、２１５−ｃ、４１５、５１５、６１５、１３１５または１４１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０１９７】
[0216]ブロック１９０５において、方法１９００は、ＵＥから基地局への無認可無線周波数スペクトル帯域へのアクセスのための要求メッセージの送信のために利用可能である周期的なサブフレームを識別することを決定することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。ブロック１９０５における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０１９８】
[0217]ブロック１９１０において、方法１９００は、ＵＥによって、識別された周期的なサブフレームの第１のサブフレーム中に競合ベースのアクセス手順を実行すること、競合ベースのアクセス手順は、基地局が無認可無線周波数スペクトル帯域へのアクセスを有するかどうかにかかわらず実行される、を含み得る。ブロック１９１０における動作は、図８、図９、図１２、または図１４を参照しながら説明したＵＥワイヤレス通信管理モジュール８２０、９２０、１２６０、または１４８４、あるいは図９のＣＣＡモジュール９４５を使用して実行され得る。
【０１９９】
[0218]ブロック１９２０において、方法１９００は、競合ベースのアクセス手順の結果に基づいて第１のサブフレーム中に要求メッセージを送信することを含み得る。ブロック１９２０における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０２００】
[0219]方法１９００のいくつかの例では、要求メッセージは、さらに、図３〜図７を参照しながら説明したように構成または送信され得、あるいは応答メッセージは、さらに、図３〜図７を参照しながら説明したように構成または受信され得る。
【０２０１】
[0220]このようにして、方法１９００はワイヤレス通信を提供し得る。方法１９００は一実装形態にすぎず、方法１９００の動作は、他の実装形態が可能であるように再構成されるか、または場合によっては修正され得ることに留意されたい。
【０２０２】
[0221]図２０は、本開示の様々な態様による、ワイヤレス通信のための例示的なオブア方法２０００を示すフローチャートである。明快のために、方法２０００について、図１、図２、図４、図５、図６、図１３、または図１４を参照しながら説明したＵＥ１１５、２１５、２１５−ａ、２１５−ｂ、２１５−ｃ、４１５、５１５、６１５、１３１５または１４１５のうちの１つまたは複数の態様、あるいは図８または図９を参照しながら説明した装置８１５または９１５のうちの１つまたは複数の態様に関して、以下で説明する。いくつかの例では、ＵＥまたは装置は、以下で説明される機能を実行するようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を実行し得る。
【０２０３】
[0222]ブロック２００５において、方法２０００は、ＬＢＴフレームのための境界を識別する基地局からＵＥにおいて１つまたは複数の送信を受信することを含み得る。ブロック２００５における動作は、図８、図９、図１２、または図１４を参照しながら説明したＵＥワイヤレス通信管理モジュール８２０、９２０、１２６０、または１４８４、あるいは、図９を参照しながら説明したシステム情報処理モジュール９５０を使用して実行され得る。
【０２０４】
[0223]ブロック２０１０において、方法２０００は、リッスンビフォアトークフレーム内のｅＰＲＡＣＨリソースを決定することを含み得る。ブロック２０１０における動作は、図８、図９、図１２、または図１４を参照しながら説明したＵＥワイヤレス通信管理モジュール８２０、９２０、１２６０、または１４８４、あるいは図８または図９を参照しながら説明したｅＰＲＡＣＨ／ＳｅＰＲＡＣＨ要求送信管理モジュール８３５または９３５を使用して実行され得る。
【０２０５】
[0224]ブロック２０１５において、方法２０００は、ＵＥによって、リッスンビフォアトークフレーム中に競合ベースのアクセス手順を実行することを含み得る。ブロック２０１５における動作は、図８、図９、図１２、または図１４を参照しながら説明したＵＥワイヤレス通信管理モジュール８２０、９２０、１２６０、または１４８４、あるいは図９のＣＣＡモジュール９４５を使用して実行され得る。
【０２０６】
[0225]ブロック２０２０において、方法２０００は、競合ベースのアクセス手順の結果に基づいてＵＥから基地局に無認可無線周波数スペクトル帯域へのアクセスのための要求メッセージを送信することを含み得る。ブロック２０２０における動作は、図８、図９、図１２、または図１４を参照しながら説明したＵＥワイヤレス通信管理モジュール８２０、９２０、１２６０、または１４８４、あるいは図８または図９のｅＰＲＡＣＨ／ＳｅＰＲＡＣＨ要求送信管理モジュール８３５または９３５を使用して実行され得る。
【０２０７】
[0226]方法２０００のいくつかの例では、要求メッセージは、さらに、図３〜図７を参照しながら説明したように構成または送信され得、あるいは応答メッセージは、さらに、図３〜図７を参照しながら説明したように構成または受信され得る。
【０２０８】
[0227]このようにして、方法２０００はワイヤレス通信を提供し得る。方法２０００が一実装形態にすぎないこと、および方法２０００の動作は、他の実装形態が可能であるように再構成され得るかまたは別の方法で修正され得ることに留意されたい。
【０２０９】
[0228]本明細書で説明した技法は、符号分割多元接続（ＣＤＭＡ）システム、時分割多元接続（ＴＤＭＡ）、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、３ＧＰＰからの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２１０】
[0229]添付の図面に関して上に記載された発明を実施するための形態は、例について説明しており、実装され得るかまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明される技法の理解をもたらすための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０２１１】
[0230]情報および信号は、多種多様な技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表現され得る。
【０２１２】
[0231]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２１３】
[0232]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような選言的列挙を示す。
【０２１４】
[0233]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の入手可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２１５】
[0234]本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信の方法であって、
無認可無線周波数スペクトル帯域へのアクセスのための要求メッセージの送信のために利用可能な無線フレーム内のサブフレームを決定することと、
前記無認可無線周波数スペクトル帯域へのアクセスを獲得するための競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別することと、
シンボルの前記第１のサブセット中に前記競合ベースのアクセス手順を実行することと、
前記競合ベースのアクセス手順の結果に基づいてシンボルの前記第２のサブセット中に前記要求メッセージを送信することと
を備える方法。
［Ｃ２］
前記要求メッセージを送信することが、前記無認可無線周波数スペクトル帯域で動作するセルにアクセスするために、前記無認可無線周波数スペクトル帯域を介して拡張物理ランダムアクセスチャネル（ｅＰＲＡＣＨ）上で前記要求メッセージを送信することを備える
をさらに備える、Ｃ１に記載の方法。
［Ｃ３］
シンボルの前記第１のサブセットが、別のノードからのチャネル占有信号と前記無線フレーム内の前記サブフレームのサブフレーム境界とを検出するためのハードウェア遅延またはソフトウェア遅延に少なくとも部分的に基づいて識別される、ここにおいて、シンボルの前記第２のサブセットが、シンボルの前記第１のサブセット、別のノードからの前記チャネル占有信号の送信のための前記サブフレーム内の識別されたシンボル、または送信受信間切替え遅延に少なくとも部分的に基づいて識別される、Ｃ１に記載の方法。
［Ｃ４］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１に記載の方法。
［Ｃ５］
前記要求メッセージが、前記第１のシンボルのためのＤＭＲＳシフトと前記第２のシンボルのためのデータインターレースとを通して１つまたは複数の他のノードと多重化される、Ｃ４に記載の方法。
［Ｃ６］
前記要求メッセージの前記送信が、前記サブフレームのサブフレーム境界と整合しておらず、シンボル境界と整合している、Ｃ１に記載の方法。
［Ｃ７］
システム情報ブロック中で、前記サブフレーム、シンボルの前記第１のサブセット、またはシンボルの前記第２のサブセットのうちの少なくとも１つの指示を受信すること
をさらに備える、Ｃ１に記載の方法。
［Ｃ８］
１つまたは複数の他のリソースが前記要求メッセージの送信のために利用可能であると決定することと、
利用可能なリソースの優先度付けに少なくとも部分的に基づいて前記要求メッセージの送信のための前記利用可能なリソースのうちの１つを選択することと
をさらに備える、Ｃ１に記載の方法。
［Ｃ９］
前記要求メッセージの送信のための利用可能なリソースの前記優先度付けが、システム情報ブロック中で受信されたリソースの優先度付けまたは利用可能なリソースのバイアス付きランダム選択に基づく、Ｃ８に記載の方法。
［Ｃ１０］
前記要求メッセージが、スケジュールされていない要求メッセージである、Ｃ９に記載の方法。
［Ｃ１１］
ワイヤレス通信の方法であって、
ユーザ機器（ＵＥ）による無認可無線周波数スペクトル帯域へのアクセスのための要求メッセージの受信のための１つまたは複数の無線フレーム内の１つまたは複数のサブフレームを識別することと、
前記無認可無線周波数スペクトル帯域へのアクセスのために前記要求メッセージの受信のための前記識別された１つまたは複数のサブフレーム内のシンボルのサブセットを識別することと
を備える方法。
［Ｃ１２］
前記識別された１つまたは複数のサブフレームとシンボルの前記サブセットとの指示を前記ＵＥに送信すること、ここにおいて、前記指示が、システム情報ブロック（ＳＩＢ）中で送信される、
をさらに備える、Ｃ１１に記載の方法。
［Ｃ１３］
前記指示が、前記要求メッセージの送信のために利用可能な１つまたは複数の他のリソースのさらなる識別情報と、利用可能なリソースの優先度付けとをさらに備える、Ｃ１１に記載の方法。
［Ｃ１４］
前記無認可無線周波数スペクトル帯域にアクセスするための前記ＵＥからの要求メッセージについてシンボルの前記サブセットを監視すること
をさらに備える、Ｃ１１に記載の方法。
［Ｃ１５］
シンボルの前記サブセットが、別のノードからのチャネル占有信号の送信のための時間または送信受信間切替え遅延に少なくとも部分的に基づいて識別される、Ｃ１１に記載の方法。
［Ｃ１６］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１１に記載の方法。
［Ｃ１７］
ワイヤレスデバイスにおけるワイヤレス通信のための装置であって、
無認可無線周波数スペクトル帯域へのアクセスのための要求メッセージの送信のために利用可能な無線フレーム内のサブフレームを決定するための手段と、
前記無認可無線周波数スペクトル帯域へのアクセスを獲得するための競合ベースのアクセス手順を実行するための前記サブフレーム内のシンボルの第１のサブセットと、前記無認可無線周波数スペクトル帯域へのアクセスのための前記要求メッセージの送信のための前記サブフレーム内のシンボルの第２のサブセットとを識別するための手段と、
シンボルの前記第１のサブセット中に前記競合ベースのアクセス手順を実行するための手段と、
前記競合ベースのアクセス手順の結果に基づいてシンボルの前記第２のサブセット中に前記要求メッセージを送信するための手段と
を備える、装置。
［Ｃ１８］
前記要求メッセージを送信するための手段が、前記無認可無線周波数スペクトル帯域で動作するセルにアクセスするために前記無認可無線周波数スペクトル帯域を介して拡張物理ランダムアクセスチャネル（ｅＰＲＡＣＨ）上で前記要求メッセージを送信することを備える
をさらに備える、Ｃ１７に記載の装置。
［Ｃ１９］
シンボルの前記第１のサブセットが、別のノードからのチャネル占有信号と前記無線フレーム内の前記サブフレームのサブフレーム境界とを検出するためのハードウェア遅延またはソフトウェア遅延に少なくとも部分的に基づいて識別される、ここにおいて、シンボルの前記第２のサブセットが、シンボルの前記第１のサブセット、別のノードからの前記チャネル占有信号の送信のための前記サブフレーム内の識別されたシンボル、または送信受信間切替え遅延に少なくとも部分的に基づいて識別される、Ｃ１７に記載の装置。
［Ｃ２０］
前記要求メッセージが、第１のシンボルと第２のシンボルとを備え、前記第１のシンボルが、復調基準信号（ＤＭＲＳ）を含み、前記第２のシンボルが、前記要求メッセージに関連するデータを備える、Ｃ１７に記載の装置。
［Ｃ２１］
前記要求メッセージが、前記第１のシンボルのためのＤＭＲＳシフトと前記第２のシンボルのためのデータインターレースとを通して１つまたは複数の他のノードと多重化される、Ｃ２０に記載の装置。
［Ｃ２２］
前記要求メッセージの前記送信が、前記サブフレームのサブフレーム境界と整合しておらず、シンボル境界と整合している、Ｃ１７に記載の装置。
［Ｃ２３］
システム情報ブロック中で、前記サブフレーム、シンボルの前記第１のサブセット、またはシンボルの前記第２のサブセットのうちの少なくとも１つの指示を受信するための手段
をさらに備える、Ｃ１７に記載の装置。
［Ｃ２４］
１つまたは複数の他のリソースが前記要求メッセージの送信のために利用可能であると決定するための手段と、
利用可能なリソースの優先度付けに少なくとも部分的に基づいて前記要求メッセージの送信のための前記利用可能なリソースのうちの１つを選択するための手段と
をさらに備える、Ｃ１７に記載の装置。
［Ｃ２５］
前記要求メッセージの送信のための利用可能なリソースの前記優先度付けが、システム情報ブロック中で受信されたリソースの優先度付けまたは利用可能なリソースのバイアス付きランダム選択に基づく、Ｃ２４に記載の装置。
［Ｃ２６］
前記要求メッセージが、スケジュールされていない要求メッセージである、Ｃ２５に記載の装置。
［Ｃ２７］
ワイヤレスデバイスにおけるワイヤレス通信のための装置であって、
ユーザ機器（ＵＥ）による無認可無線周波数スペクトル帯域へのアクセスのための要求メッセージの受信のための１つまたは複数の無線フレーム内の１つまたは複数のサブフレームを識別するための手段と、
前記無認可無線周波数スペクトル帯域へのアクセスのための前記要求メッセージの受信のための前記識別された１つまたは複数のサブフレーム内のシンボルのサブセットを識別するための手段と
を備える、装置。
［Ｃ２８］
前記識別された１つまたは複数のサブフレームとシンボルの前記サブセットとの指示を前記ＵＥに送信するための手段、ここにおいて、前記指示が、システム情報ブロック（ＳＩＢ）中で送信される、
をさらに備える、Ｃ２７に記載の装置。
［Ｃ２９］
前記指示が、前記要求メッセージの送信のために利用可能な１つまたは複数の他のリソースのさらなる識別情報と、利用可能なリソースの優先度付けとをさらに備える、Ｃ２７に記載の装置。
［Ｃ３０］
前記無認可無線周波数スペクトル帯域にアクセスするための前記ＵＥからの要求メッセージについてシンボルの前記サブセットを監視するための手段
をさらに備える、Ｃ２７に記載の装置。
【図１】
0006577042.tif 000002
【図２】
0006577042.tif 000003
【図３】
0006577042.tif 000004
【図４】
0006577042.tif 000005
【図５】
0006577042.tif 000006
【図６】
0006577042.tif 000007
【図７】
0006577042.tif 000008
【図８】
0006577042.tif 000009
【図９】
0006577042.tif 000010
【図１０】
0006577042.tif 000011
【図１１】
0006577042.tif 000012
【図１２】
0006577042.tif 000013
【図１３】
0006577042.tif 000014
【図１４】
0006577042.tif 000015
【図１５】
0006577042.tif 000016
【図１６】
0006577042.tif 000017
【図１７】
0006577042.tif 000018
【図１８】
0006577042.tif 000019
【図１９】
0006577042.tif 000020
【図２０】
0006577042.tif 000021